(57)【要約】【課題】  コンテンツデータごとに必要にして十分な帯域をネットワーク全体で動的に設定できる帯域設定方法を提供することを目的とする。【解決手段】  帯域設定方法であって、無線端末がコンテンツデータ送信要求をサーバに送信するステップと、サーバが帯域情報を無線端末に送信するステップと、無線端末が無線帯域設定要求を無線基地局に送信し、有線帯域設定要求をサーバに送信するステップと、無線基地局が無線帯域を設定し無線帯域設定応答を無線端末に送信するステップと、サーバが有線帯域を設定するために必要となる処理を行い有線帯域設定応答を無線端末に送信するステップと、無線端末が帯域設定完了通知をサーバに送信するステップと、サーバがコンテンツデータを無線端末にそれぞれ送信するステップと、を有するように構成する。【選択図】          図１
2004274700.tif 000002
【特許請求の範囲】
【請求項１】
無線端末と、前記無線端末に無線アクセスネットワークを介して接続される無線基地局と、前記無線基地局に有線ネットワークを介して接続されるサーバと、を備えるコンテンツ提供システムにおける帯域設定方法であって、
前記無線端末が、前記サーバに格納されている複数のコンテンツデータの中から１つ以上のコンテンツデータが選択された場合に、前記選択されたコンテンツデータの送信を要求するコンテンツデータ送信要求を前記サーバに対して送信するステップと、
前記サーバが、前記無線端末から前記コンテンツデータ送信要求を受信した場合に、前記送信を要求されたコンテンツデータの送信に必要となる前記無線アクセスネットワークの帯域設定と前記送信を要求されたコンテンツデータの送信に必要となる前記有線ネットワークの帯域設定とに関する帯域情報（有線、無線）を、前記無線端末に対して送信するステップと、
前記無線端末が、前記サーバから前記帯域情報（有線、無線）を受信した場合に、前記無線アクセスネットワークにおける無線帯域の設定を要求する前記受信した帯域情報（有線、無線）に基づく無線帯域設定要求を、前記無線基地局に対して送信するステップと、
前記無線端末が、前記サーバから前記帯域情報（有線、無線）を受信した場合に、前記有線ネットワークにおける有線帯域の設定を要求する前記受信した帯域情報（有線、無線）に基づく有線帯域設定要求を前記サーバに対して送信するステップと、
前記無線基地局が、前記無線端末から前記無線帯域設定要求を受信した場合に、前記受信した無線帯域設定要求に応じて、前記無線アクセスネットワークにおいて前記無線基地局と前記無線端末との間に前記設定を要求された無線帯域を設定し、無線帯域設定応答を前記無線端末に送信するステップと、
前記サーバが、前記無線端末から前記有線帯域設定要求を受信した場合に、前記有線帯域設定要求に応じて、前記有線ネットワークにおいて前記サーバと前記無線基地局との間に前記設定を要求された有線帯域を設定するために必要となる処理を行い、有線帯域設定応答を前記無線端末に送信するステップと、
前記無線端末が、前記無線帯域設定応答および前記有線帯域設定応答を受信した場合に、前記無線アクセスネットワークと前記有線ネットワークとにおける帯域設定の完了を通知する帯域設定完了通知を前記サーバに対して送信するステップと、
前記サーバが、前記無線端末から前記帯域設定完了通知を受信した場合に、前記無線端末から送信を要求された各コンテンツデータを前記無線端末に対してそれぞれ送信するステップと、
を有することを特徴とする帯域設定方法。
【請求項２】
無線端末と、前記無線端末に無線アクセスネットワークを介して接続される無線基地局と、前記無線基地局に有線ネットワークを介して接続されるサーバと、を備えるコンテンツ提供システムにおける帯域設定方法であって、
前記無線端末が、前記サーバに格納されている複数のコンテンツデータの中から１つ以上のコンテンツデータが選択された場合に、前記選択されたコンテンツデータの送信を要求するコンテンツデータ送信要求を前記サーバに対して送信するステップと、
前記サーバが、前記無線端末から前記コンテンツデータ送信要求を受信した場合に、前記送信を要求されたコンテンツデータの送信に必要となる前記無線アクセスネットワークの帯域設定に関する帯域情報（無線）を、前記無線端末に対して送信するステップと、
前記無線端末が、前記サーバから前記帯域情報（無線）を受信した場合に、前記無線アクセスネットワークにおける無線帯域の設定を要求する前記受信した帯域情報（無線）に基づく無線帯域設定要求を前記無線基地局に対して送信するステップと、
前記無線基地局が、前記無線端末から前記無線帯域設定要求を受信した場合に、前記受信した無線帯域設定要求に応じて、前記無線アクセスネットワークにおいて前記無線基地局と前記無線端末との間に前記設定を要求された無線帯域を設定するステップと、
前記無線基地局が、前記無線端末から前記無線帯域設定要求を受信した場合に、前記無線基地局と前記サーバとの間の有線ネットワークにおける有線帯域を設定するための有線帯域設定情報を、前記受信した無線帯域設定要求に基づいて作成し、前記作成した有線帯域設定情報に基づく有線帯域設定要求を、前記サーバに対して送信するステップと、
前記サーバが、前記無線基地局から前記有線帯域設定要求を受信した場合に、前記有線帯域設定要求に応じて、前記有線ネットワークにおいて前記サーバと前記無線基地局との間に前記設定を要求された有線帯域を設定するために必要となる処理を行い、有線帯域設定応答を前記無線基地局に送信するステップと、
前記無線基地局が、前記有線帯域設定応答を受信した場合に、前記無線アクセスネットワークにおける無線帯域および前記有線ネットワークにおける有線帯域の設定が完了したことを通知する帯域設定応答を前記無線端末に対して送信するステップと、
前記無線端末が、前記無線基地局から前記帯域設定応答を受信した場合に、前記無線アクセスネットワークと前記有線ネットワークとにおける帯域設定の完了を通知する帯域設定完了通知を前記サーバに対して送信するステップと、
前記サーバが、前記無線端末から前記帯域設定完了通知を受信した場合に、前記無線端末から送信を要求された各コンテンツデータを前記無線端末に対してそれぞれ送信するステップと、
を有することを特徴とする帯域設定方法。
【請求項３】
無線端末と、前記無線端末に無線アクセスネットワークを介して接続される無線基地局と、前記無線基地局に有線ネットワークを介して接続されるサーバと、を備えるコンテンツ提供システムにおける帯域設定方法であって、
前記無線端末が、前記サーバに格納されている複数のコンテンツデータの中から１つ以上のコンテンツデータが選択された場合に、前記選択されたコンテンツデータの送信を要求するコンテンツデータ送信要求を前記サーバに対して送信するステップと、
前記サーバが、前記無線端末から前記コンテンツデータ送信要求を受信した場合に、前記送信を要求されたコンテンツデータの送信に必要となる前記無線アクセスネットワークの帯域設定に関する帯域情報（無線）を、前記無線端末に対して送信するステップと、
前記無線端末が、前記サーバから前記帯域情報（無線）を受信した場合に、前記無線アクセスネットワークにおける無線帯域の設定を要求する前記受信した帯域情報（無線）に基づく無線帯域設定要求を、前記無線基地局に対して送信するステップと、
前記無線端末が、前記サーバから前記帯域情報（無線）を受信した場合に、前記帯域情報（無線）に基づいて有線帯域設定情報を作成するステップと、
前記無線端末が、前記作成した有線帯域設定情報に基づく有線帯域設定要求を前記サーバに対して送信するステップと、
前記無線基地局が、前記無線端末から前記無線帯域設定要求を受信した場合に、前記受信した無線帯域設定要求に応じて、前記無線アクセスネットワークにおいて前記無線基地局と前記無線端末との間に前記設定を要求された無線帯域を設定し、無線帯域設定応答を前記無線端末に送信するステップと、
前記サーバが、前記無線端末から前記有線帯域設定要求を受信した場合に、前記有線帯域設定要求に応じて、前記有線ネットワークにおいて前記サーバと前記無線基地局との間に前記設定を要求された有線帯域を設定するために必要となる処理を行い、有線帯域設定応答を前記無線端末に送信するステップと、
前記無線端末が、前記無線帯域設定応答および前記有線帯域設定応答を受信した場合に、前記無線アクセスネットワークと前記有線ネットワークとにおける帯域設定の完了を通知する帯域設定完了通知を前記サーバに対して送信するステップと、
前記サーバが、前記無線端末から前記帯域設定完了通知を受信した場合に、前記無線端末から送信を要求された各コンテンツデータを前記無線端末に対してそれぞれ送信するステップと、
を有することを特徴とする帯域設定方法。
【請求項４】
請求項１〜請求項３のいずれか１項に記載の帯域設定方法において、
前記コンテンツデータは、配信レートを配信レート幅の範囲内で変更できるマルチビットレート型コンテンツであり、
前記帯域情報（有線、無線）または前記帯域情報（無線）は、前記配信レート幅に関する情報を含み、
前記サーバが、前記無線端末から前記コンテンツデータ送信要求を受信した場合に、前記無線端末に送信する帯域情報（有線、無線）または帯域情報（無線）の設定帯域値を、最大の配信レートに対応する帯域値に設定するステップと、
前記無線基地局または前記無線端末が、前記無線アクセスネットワークまたは前記有線ネットワークにおいて帯域の設定が失敗したことを検出した場合に、前記無線アクセスネットワークまたは前記有線ネットワークにおいて設定可能な帯域値である設定可能帯域値を含む帯域設定失敗通知を前記サーバに対して送信するステップと、
前記サーバが、前記無線基地局または前記無線端末から前記帯域設定失敗通知を受信した場合に、前記設定可能帯域値に対応する配信レートが前記帯域情報（有線、無線）または前記帯域情報（無線）に含まれる配信レート幅の範囲内にあるか否かを判定するステップと、
前記サーバが、前記設定可能帯域値に対応する配信レートが前記帯域情報（有線、無線）または前記帯域情報（無線）に含まれる配信レート幅の範囲内にあると判定した場合に、前記帯域情報（有線、無線）または前記帯域情報（無線）の設定帯域値を前記設定可能帯域値に変更するステップと、
前記サーバが、前記設定可能帯域値に対応する配信レートが帯域情報（有線、無線）または帯域情報（無線）に含まれる配信レート幅の範囲内であると判定した場合に、配信レートを前記設定可能帯域値に対応する配信レートに変更するステップと、
前記サーバ、前記無線基地局、および前記無線端末が、前記設定帯域値が前記設定可能帯域値に変更された帯域情報（有線、無線）および帯域情報（無線）に基づいて、有線ネットワークおよび無線アクセスネットワークの帯域設定を再度行うステップと、
前記サーバが、前記無線端末から前記帯域設定完了通知を受信した場合に、前記無線端末から送信を要求された各コンテンツデータを前記無線端末に対してそれぞれ送信するステップと、
を有することを特徴とする帯域設定方法。
【請求項５】
請求項１〜請求項３のいずれか１項に記載の帯域設定方法において、
前記コンテンツデータは、配信レートを配信レート幅の範囲内で変更できるマルチビットレート型コンテンツであり、
前記帯域情報（有線、無線）または前記帯域情報（無線）は、前記配信レート幅に関する情報を含み、
前記無線基地局が、無線アクセスネットワークの帯域状況を前記サーバに対して送信するステップと、
前記サーバが、有線ネットワークの帯域状況を監視するステップと、
前記サーバが、前記無線端末から前記コンテンツデータ送信要求を受信した場合に、前記無線基地局から受信した無線アクセスネットワークの帯域状況と前記監視した有線ネットワークの帯域状況に基づいて、前記無線アクセスネットワークに設定可能な帯域の値である設定可能帯域値を算出するステップと、
前記サーバが、前記算出した設定可能帯域値に対応する配信レートが前記帯域情報（有線、無線）または前記帯域情報（無線）に含まれる配信レート幅の範囲内にあるか否かを判定するステップと、
前記サーバが、前記設定可能帯域値に対応する配信レートが前記帯域情報（有線、無線）または前記帯域情報（無線）に含まれる配信レート幅の範囲内にあると判定した場合に、前記帯域情報（有線、無線）または前記帯域情報（無線）の設定帯域値を前記設定可能帯域値に変更するステップと、
前記サーバが、前記設定可能帯域値に対応する配信レートが帯域情報（有線、無線）または前記帯域情報（無線）に含まれる配信レート幅の範囲内であると判定した場合に、配信レートを前記設定可能帯域値に対応する配信レートに変更するステップと、
前記サーバ、前記無線基地局、および前記無線端末が、前記設定帯域値が前記設定可能帯域値に変更された帯域情報（有線、無線）または帯域情報（無線）に基づいて、有線ネットワークおよび無線アクセスネットワークの帯域設定を開始するステップと、
前記サーバが、前記無線端末から前記帯域設定完了通知を受信した場合に、前記無線端末から送信を要求された各コンテンツデータを前記無線端末に対してそれぞれ送信するステップと、
を有することを特徴とする特徴とする帯域設定方法。
【請求項６】
請求項５に記載の帯域設定方法において、
前記無線基地局が、前記サーバから前記無線端末へのコンテンツデータの送信中に、無線アクセスネットワークの帯域状況を前記サーバに対して送信するステップと、
前記サーバが、有線ネットワークの帯域状況を監視するステップと、
前記サーバが、前記無線基地局から受信した無線アクセスネットワークの帯域状況と前記監視した有線ネットワークの帯域状況に基づいて、無線アクセスネットワークにおいて設定されている前記無線端末と前記無線基地局との間の無線帯域および有線ネットワークにおいて設定されている前記サーバと前記無線基地局との間の有線帯域を増やすことが可能であるか否かを判定するステップと、
前記サーバが、配信レート幅と現在の配信レートとを比較し、配信レート幅内で配信レートを上げられるか否かを判定するステップと、
前記サーバが、無線アクセスネットワークにおいて設定されている前記無線端末と前記無線基地局との間の無線帯域および有線ネットワークにおいて設定されている前記サーバと前記無線基地局との間の有線帯域を増やすことが可能であり、且つ配信レート幅内で配信レートを上げられると判定した場合に、前記帯域情報（有線、無線）または前記帯域情報（無線）の設定帯域値を増加させるステップと、
前記サーバが、現在の配信レートを前記増加した設定帯域値に対応する配信レートに変更するステップと、
前記サーバ、前記無線基地局、および前記無線端末が、前記増加した設定帯域値を含む帯域情報（有線、無線）または帯域情報（無線）に基づいて、有線ネットワークおよび無線アクセスネットワークの帯域設定を再度行うステップと、
を有することを特徴とする帯域設定方法。
【請求項７】
前記サーバは、前記サーバ、前記無線基地局、および前記無線端末による有線ネットワークおよび無線アクセスネットワークの再度の帯域設定が行われた後に、現在の配信レートを前記増加した設定帯域値に対応する配信レートに変更する、
ことを特徴とする請求項６に記載の帯域設定方法。
【請求項８】
請求項５に記載の帯域設定方法において、
前記無線基地局が、前記サーバから前記無線端末へのコンテンツデータの送信中に、無線アクセスネットワークの帯域状況を前記サーバに対して送信するステップと、
前記サーバが、有線ネットワークの帯域状況を監視するステップと、
前記サーバが、前記無線基地局から受信した無線アクセスネットワークの帯域状況と前記監視した有線ネットワークの帯域状況に基づいて、無線アクセスネットワークにおいて設定されている前記無線端末と前記無線基地局との間の無線帯域または有線ネットワークにおいて設定されている前記サーバと前記無線基地局との間の有線帯域の確保が困難であるか否かを判定するステップと、
前記サーバが、配信レート幅と現在の配信レートとを比較し、配信レート幅内で配信レートを下げられるか否かを判定するステップと、
前記サーバが、無線アクセスネットワークにおいて設定されている前記無線端末と前記無線基地局との間の無線帯域または有線ネットワークにおいて設定されている前記サーバと前記無線基地局との間の有線帯域の確保が困難であり、且つ配信レート幅内で配信レートを下げられると判定した場合に、前記帯域情報（有線、無線）または前記帯域情報（無線）の設定帯域値を減少させるステップと、
前記サーバが、現在の配信レートを前記減少した設定帯域値に対応する配信レートに変更するステップと、
前記サーバ、前記無線基地局、および前記無線端末が、前記減少した設定帯域値を含む帯域情報（有線、無線）または帯域情報（無線）に基づいて、有線ネットワークおよび無線アクセスネットワークの帯域設定を再度行うステップと、
を有することを特徴とする帯域設定方法。
【請求項９】
前記サーバは、前記サーバ、前記無線基地局、および前記無線端末による有線ネットワークおよび無線アクセスネットワークの再度の帯域設定が行われる前に、現在の配信レートを前記減少した設定帯域値に対応する配信レートに変更する、
ことを特徴とする請求項８に記載の帯域設定方法。
【請求項１０】
請求項１〜請求項９のいずれか１項に記載の帯域設定方法において、さらに、
前記無線端末が、前記サーバから送信されるコンテンツデータを受信するステップと、
前記無線端末が、前記コンテンツデータの受信の停止を検出した場合に、前記無線アクセスネットワークにおける前記無線基地局と前記無線端末との間の無線帯域を前記無線基地局が前記無線帯域設定要求に応じて設定した無線帯域から前記無線基地局が前記無線帯域設定要求に応じて設定する前の無線帯域へ変更するよう要求する無線帯域変更要求を、前記無線基地局に対して送信するステップと、
前記無線基地局が、前記無線帯域変更要求を受信した場合に、前記受信した無線帯域変更要求に応じて、前記無線アクセスネットワークにおける前記無線基地局と前記無線端末との間の無線帯域を前記無線基地局が前記無線帯域設定要求に応じて設定した無線帯域から前記無線基地局が前記無線帯域設定要求に応じて設定する前の無線帯域へ変更し、無線帯域変更応答を前記無線端末に送信するステップと、
前記有線ネットワークにおける各機器が、前記サーバから前記無線端末に送信されるコンテンツデータの中継の停止を検出し、かつ、前記中継の停止を検出してから一定時間が経過しても前記コンテンツデータの中継が再開されない場合に、前記コンテンツデータの中継のために確保していた有線帯域を解放するステップと、
を有することを特徴とする帯域設定方法。
【請求項１１】
請求項１〜請求項９のいずれか１項に記載の帯域設定方法において、
前記帯域情報（有線、無線）または前記帯域情報（無線）は、前記無線アクセスネットワークおよび前記有線ネットワークにおいて前記帯域情報（有線、無線）または前記帯域情報（無線）に応じた帯域を確保する時間を示す帯域確保時間を含み、
前記無線端末から前記無線基地局に送信される無線帯域設定要求には、前記帯域確保時間が含まれ、
前記無線基地局が、前記サーバから前記無線端末へのコンテンツデータの送信が開始された場合に、前記帯域確保時間を計測するタイマーをスタートさせるステップと、
前記無線基地局が、前記タイマーの終了を検出した場合に、コンテンツデータの送信を停止するよう要求するコンテンツデータ送信停止要求を前記サーバに送信するステップと、
前記無線基地局が、前記タイマーの終了を検出した場合に、前記無線アクセスネットワークにおける前記無線基地局と前記無線端末との間の無線帯域を前記無線基地局が前記無線帯域設定要求に応じて設定した無線帯域から前記無線基地局が前記無線帯域設定要求に応じて設定する前の無線帯域へ変更し、無線帯域変更応答を前記無線端末に送信するステップと、
前記サーバが、前記無線基地局から前記コンテンツ送信停止要求を受信した場合に、コンテンツデータの前記無線端末への送信を停止するステップと、
前記有線ネットワークにおける各機器が、前記サーバから前記無線端末に送信されるコンテンツデータの中継の停止を検出し、かつ、前記中継の停止を検出してから一定時間が経過しても前記コンテンツデータの中継が再開されない場合に、前記コンテンツデータの中継のために確保していた有線帯域を解放するステップと、
を有することにより、帯域設定前のネットワーク状態に戻すことを特徴とする帯域設定方法。
【請求項１２】
請求項１〜請求項９のいずれか１項に記載の帯域設定方法において、
前記帯域情報（有線、無線）または前記帯域情報（無線）は、前記無線アクセスネットワークおよび前記有線ネットワークにおいて前記帯域情報（有線、無線）または前記帯域情報（無線）に応じた帯域を確保する時間を示す帯域確保時間を含み、
前記無線端末が、前記サーバからのコンテンツデータの受信を開始した場合に、前記帯域確保時間を計測するタイマーをスタートさせるステップと、
前記無線端末が、前記タイマーの終了を検出した場合に、前記無線アクセスネットワークにおける前記無線基地局と前記無線端末との間の無線帯域を前記無線基地局が前記無線帯域設定要求に応じて設定した無線帯域から前記無線基地局が前記無線帯域設定要求に応じて設定する前の無線帯域へ変更するよう要求する無線帯域変更要求を、前記無線基地局に対して送信するステップと、
前記無線端末が、前記タイマーの終了を検出した場合に、コンテンツデータの送信を停止するよう要求するコンテンツデータ送信停止要求を前記サーバに送信するステップと、
前記無線基地局が、前記無線帯域変更要求を受信した場合に、前記受信した無線帯域変更要求に応じて、前記無線アクセスネットワークにおける前記無線基地局と前記無線端末との間の無線帯域を前記無線基地局が前記無線帯域設定要求に応じて設定した無線帯域から前記無線基地局が前記無線帯域設定要求に応じて設定する前の無線帯域へ変更し、無線帯域変更応答を前記無線端末に送信するステップと、
前記サーバが、前記無線端末から前記コンテンツ送信停止要求を受信した場合に、コンテンツデータの前記無線端末への送信を停止するステップと、
前記有線ネットワークにおける各機器が、前記サーバから前記無線端末に送信されるコンテンツデータの中継の停止を検出し、かつ、前記中継の停止を検出してから一定時間が経過しても前記コンテンツデータの中継が再開されない場合に、前記コンテンツデータの中継のために確保していた有線帯域を解放するステップと、
を有することにより、帯域設定前のネットワーク状態に戻すことを特徴とする帯域設定方法。
【発明の詳細な説明】
【技術分野】
【０００１】
本発明は、帯域設定方法に関し、特に、無線システムのエンド−エンドにおける帯域設定方法、すなわち、無線アクセスネットワーク（無線端末−無線基地局間）と有線ネットワーク（無線基地局−サーバ間）とにおける帯域設定方法に関する。
【背景技術】
【０００２】
無線ＬＡＮなどにおいては、無線端末が無線アクセスネットワークを介して無線基地局に接続され、この無線基地局が有線ネットワークを介してサーバなどに接続される。したがって、無線ＬＡＮなどにおける無線端末は、無線アクセスネットワークおよび有線ネットワークを介してインターネット上のサーバなどと通信することができる。
【０００３】
このような無線端末が、インターネット上のサーバから、インターネットテレビやインターネットラジオなどのコンテンツを高速・高品質で受信するためには、上記無線アクセスネットワークおよび有線ネットワークにおいて、各コンテンツに応じた必要にして十分な帯域が確保されなければならない。
【０００４】
そこで、従来の帯域設定方法は、各コンテンツが必要とする帯域を無線アクセスネットワークにおいて自動的に設定していた（特許文献１参照）。
【０００５】
また、マルチビットレート型コンテンツデータにおいては、ネットワークの状況に応じて配信レートを変更できるが、従来は、かかる配信レートの変更を無線端末のデータ受信状況に基づいて行っていた（非特許文献１参照）。
【特許文献１】特開２００２−２４７１３１号公報
【非特許文献１】「ブロードバンドアクセス新サービスへの取り組み（光と無線の融合サービス  Ｂｉｐｏｒｔａｂｌｅ）」、ＮＴＴ技術ジャーナル  ２００１年８月号、ｐ１７
【発明の開示】
【発明が解決しようとする課題】
【０００６】
しかし、上記従来の帯域設定方法は、コンテンツに必要な帯域の自動設定を無線アクセスネットワークにおいて実現するものであり、有線ネットワークにおいて実現するものではない。また、コンテンツの送信に必要となる帯域はコンテンツごとに異なるため、有線ネットワークの帯域をあらかじめ設定しておくことは妥当でない。
【０００７】
したがって、上記従来の帯域設定方法では、コンテンツの送信を希望するユーザが、このコンテンツの送信に必要とされる有線ネットワークの帯域を自ら調査して、これを自ら変更しなければならないという問題、または、これを管理者に通知して管理者に変更してもらわなければならないという問題があった。
【０００８】
さらに、上記従来の帯域設定方法では、無線アクセスネットワークにおける帯域の設定と有線ネットワークにおける帯域の設定とが、別個の手続きとして実施されてしまう。したがって、上記従来の帯域設定方法では、帯域がネットワーク全体において必要以上に確保されてしまうという問題もあった。
【０００９】
よって、上記従来の帯域設定方法では、コンテンツデータの送信時にのみ必要な帯域を無線端末−サーバ間のエンド−エンドで動的に確保することが不可能であった。              
【００１０】
また、従来は、無線端末のデータ受信状況に基づいて配信レートを変更していたため、配信レートの変更が事後的なものとなっていた。このため、従来は、配信レートを変更するまでに時間を要していた。
また、無線アクセスネットワークの状況は、電波伝搬状況により大きく変動する。したがって、無線端末において無線アクセスネットワークの状況を計測し、この結果をもとに配信レートを変更する従来のシステムでは、無線端末の処理負荷が大きくなってしまうという問題があった。
【００１１】
さらに、無線端末において無線アクセスネットワークの状況を計測し、この結果をもとに配信レートを変更する従来のシステムでは、計測結果をフィードバックする際に、無線アクセスネットワークの帯域を消費してしまうという問題もあった。
【００１２】
そこで、本発明は、かかる事情に鑑み、無線アクセスネットワークの帯域設定と有線ネットワークの帯域設定とを連動させることができ、かつ、送信するコンテンツデータごとに必要にして十分な帯域を動的に設定できる帯域設定方法を提供することを目的とする。
【００１３】
また、本発明は、無線端末の処理負荷および無線アクセスネットワークの消費帯域を増加させることなく迅速に配信レートを変更でき、かつ、配信レートの変更に応じて無線アクセスネットワークおよび有線ネットワークの設定帯域を動的に変更できる帯域設定方法を提供することを目的とする。
【課題を解決するための手段】
【００１４】
本発明によれば、上記課題は、次の手段によって解決される。
【００１５】
第１の発明は、無線端末と、前記無線端末に無線アクセスネットワークを介して接続される無線基地局と、前記無線基地局に有線ネットワークを介して接続されるサーバと、を備えるコンテンツ提供システムにおける帯域設定方法であって、前記無線端末が、前記サーバに格納されている複数のコンテンツデータの中から１つ以上のコンテンツデータが選択された場合に、前記選択されたコンテンツデータの送信を要求するコンテンツデータ送信要求を前記サーバに対して送信するステップと、前記サーバが、前記無線端末から前記コンテンツデータ送信要求を受信した場合に、前記送信を要求されたコンテンツデータの送信に必要となる前記無線アクセスネットワークの帯域設定と前記送信を要求されたコンテンツデータの送信に必要となる前記有線ネットワークの帯域設定とに関する帯域情報（有線、無線）を、前記無線端末に対して送信するステップと、前記無線端末が、前記サーバから前記帯域情報（有線、無線）を受信した場合に、前記無線アクセスネットワークにおける無線帯域の設定を要求する前記受信した帯域情報（有線、無線）に基づく無線帯域設定要求を、前記無線基地局に対して送信するステップと、前記無線端末が、前記サーバから前記帯域情報（有線、無線）を受信した場合に、前記有線ネットワークにおける有線帯域の設定を要求する前記受信した帯域情報（有線、無線）に基づく有線帯域設定要求を前記サーバに対して送信するステップと、前記無線基地局が、前記無線端末から前記無線帯域設定要求を受信した場合に、前記受信した無線帯域設定要求に応じて、前記無線アクセスネットワークにおいて前記無線基地局と前記無線端末との間に前記設定を要求された無線帯域を設定し、無線帯域設定応答を前記無線端末に送信するステップと、前記サーバが、前記無線端末から前記有線帯域設定要求を受信した場合に、前記有線帯域設定要求に応じて、前記有線ネットワークにおいて前記サーバと前記無線基地局との間に前記設定を要求された有線帯域を設定するために必要となる処理を行い、有線帯域設定応答を前記無線端末に送信するステップと、前記無線端末が、前記無線帯域設定応答および前記有線帯域設定応答を受信した場合に、前記無線アクセスネットワークと前記有線ネットワークとにおける帯域設定の完了を通知する帯域設定完了通知を前記サーバに対して送信するステップと、前記サーバが、前記無線端末から前記帯域設定完了通知を受信した場合に、前記無線端末から送信を要求された各コンテンツデータを前記無線端末に対してそれぞれ送信するステップと、を有することを特徴とする帯域設定方法である。
【００１６】
第２の発明は、無線端末と、前記無線端末に無線アクセスネットワークを介して接続される無線基地局と、前記無線基地局に有線ネットワークを介して接続されるサーバと、を備えるコンテンツ提供システムにおける帯域設定方法であって、前記無線端末が、前記サーバに格納されている複数のコンテンツデータの中から１つ以上のコンテンツデータが選択された場合に、前記選択されたコンテンツデータの送信を要求するコンテンツデータ送信要求を前記サーバに対して送信するステップと、前記サーバが、前記無線端末から前記コンテンツデータ送信要求を受信した場合に、前記送信を要求されたコンテンツデータの送信に必要となる前記無線アクセスネットワークの帯域設定に関する帯域情報（無線）を、前記無線端末に対して送信するステップと、前記無線端末が、前記サーバから前記帯域情報（無線）を受信した場合に、前記無線アクセスネットワークにおける無線帯域の設定を要求する前記受信した帯域情報（無線）に基づく無線帯域設定要求を前記無線基地局に対して送信するステップと、前記無線基地局が、前記無線端末から前記無線帯域設定要求を受信した場合に、前記受信した無線帯域設定要求に応じて、前記無線アクセスネットワークにおいて前記無線基地局と前記無線端末との間に前記設定を要求された無線帯域を設定するステップと、前記無線基地局が、前記無線端末から前記無線帯域設定要求を受信した場合に、前記無線基地局と前記サーバとの間の有線ネットワークにおける有線帯域を設定するための有線帯域設定情報を、前記受信した無線帯域設定要求に基づいて作成し、前記作成した有線帯域設定情報に基づく有線帯域設定要求を、前記サーバに対して送信するステップと、前記サーバが、前記無線基地局から前記有線帯域設定要求を受信した場合に、前記有線帯域設定要求に応じて、前記有線ネットワークにおいて前記サーバと前記無線基地局との間に前記設定を要求された有線帯域を設定するために必要となる処理を行い、有線帯域設定応答を前記無線基地局に送信するステップと、前記無線基地局が、前記有線帯域設定応答を受信した場合に、前記無線アクセスネットワークにおける無線帯域および前記有線ネットワークにおける有線帯域の設定が完了したことを通知する帯域設定応答を前記無線端末に対して送信するステップと、前記無線端末が、前記無線基地局から前記帯域設定応答を受信した場合に、前記無線アクセスネットワークと前記有線ネットワークとにおける帯域設定の完了を通知する帯域設定完了通知を前記サーバに対して送信するステップと、前記サーバが、前記無線端末から前記帯域設定完了通知を受信した場合に、前記無線端末から送信を要求された各コンテンツデータを前記無線端末に対してそれぞれ送信するステップと、を有することを特徴とする帯域設定方法である。
【００１７】
第３の発明は、無線端末と、前記無線端末に無線アクセスネットワークを介して接続される無線基地局と、前記無線基地局に有線ネットワークを介して接続されるサーバと、を備えるコンテンツ提供システムにおける帯域設定方法であって、前記無線端末が、前記サーバに格納されている複数のコンテンツデータの中から１つ以上のコンテンツデータが選択された場合に、前記選択されたコンテンツデータの送信を要求するコンテンツデータ送信要求を前記サーバに対して送信するステップと、前記サーバが、前記無線端末から前記コンテンツデータ送信要求を受信した場合に、前記送信を要求されたコンテンツデータの送信に必要となる前記無線アクセスネットワークの帯域設定に関する帯域情報（無線）を、前記無線端末に対して送信するステップと、前記無線端末が、前記サーバから前記帯域情報（無線）を受信した場合に、前記無線アクセスネットワークにおける無線帯域の設定を要求する前記受信した帯域情報（無線）に基づく無線帯域設定要求を、前記無線基地局に対して送信するステップと、前記無線端末が、前記サーバから前記帯域情報（無線）を受信した場合に、前記帯域情報（無線）に基づいて有線帯域設定情報を作成するステップと、前記無線端末が、前記作成した有線帯域設定情報に基づく有線帯域設定要求を前記サーバに対して送信するステップと、前記無線基地局が、前記無線端末から前記無線帯域設定要求を受信した場合に、前記受信した無線帯域設定要求に応じて、前記無線アクセスネットワークにおいて前記無線基地局と前記無線端末との間に前記設定を要求された無線帯域を設定し、無線帯域設定応答を前記無線端末に送信するステップと、前記サーバが、前記無線端末から前記有線帯域設定要求を受信した場合に、前記有線帯域設定要求に応じて、前記有線ネットワークにおいて前記サーバと前記無線基地局との間に前記設定を要求された有線帯域を設定するために必要となる処理を行い、有線帯域設定応答を前記無線端末に送信するステップと、前記無線端末が、前記無線帯域設定応答および前記有線帯域設定応答を受信した場合に、前記無線アクセスネットワークと前記有線ネットワークとにおける帯域設定の完了を通知する帯域設定完了通知を前記サーバに対して送信するステップと、前記サーバが、前記無線端末から前記帯域設定完了通知を受信した場合に、前記無線端末から送信を要求された各コンテンツデータを前記無線端末に対してそれぞれ送信するステップと、を有することを特徴とする帯域設定方法である。
【００１８】
第４の発明は、第１の発明〜第３の発明のいずれか１つに係る帯域設定方法において、前記コンテンツデータは、配信レートを配信レート幅の範囲内で変更できるマルチビットレート型コンテンツであり、前記帯域情報（有線、無線）または前記帯域情報（無線）は、前記配信レート幅に関する情報を含み、前記サーバが、前記無線端末から前記コンテンツデータ送信要求を受信した場合に、前記無線端末に送信する帯域情報（有線、無線）または帯域情報（無線）の設定帯域値を、最大の配信レートに対応する帯域値に設定するステップと、前記無線基地局または前記無線端末が、前記無線アクセスネットワークまたは前記有線ネットワークにおいて帯域の設定が失敗したことを検出した場合に、前記無線アクセスネットワークまたは前記有線ネットワークにおいて設定可能な帯域値である設定可能帯域値を含む帯域設定失敗通知を前記サーバに対して送信するステップと、前記サーバが、前記無線基地局または前記無線端末から前記帯域設定失敗通知を受信した場合に、前記設定可能帯域値に対応する配信レートが前記帯域情報（有線、無線）または前記帯域情報（無線）に含まれる配信レート幅の範囲内にあるか否かを判定するステップと、前記サーバが、前記設定可能帯域値に対応する配信レートが前記帯域情報（有線、無線）または前記帯域情報（無線）に含まれる配信レート幅の範囲内にあると判定した場合に、前記帯域情報（有線、無線）または前記帯域情報（無線）の設定帯域値を前記設定可能帯域値に変更するステップと、前記サーバが、前記設定可能帯域値に対応する配信レートが帯域情報（有線、無線）または帯域情報（無線）に含まれる配信レート幅の範囲内であると判定した場合に、配信レートを前記設定可能帯域値に対応する配信レートに変更するステップと、前記サーバ、前記無線基地局、および前記無線端末が、前記設定帯域値が前記設定可能帯域値に変更された帯域情報（有線、無線）および帯域情報（無線）に基づいて、有線ネットワークおよび無線アクセスネットワークの帯域設定を再度行うステップと、前記サーバが、前記無線端末から前記帯域設定完了通知を受信した場合に、前記無線端末から送信を要求された各コンテンツデータを前記無線端末に対してそれぞれ送信するステップと、を有することを特徴とする帯域設定方法である。
【００１９】
第５の発明は、第１の発明〜第３の発明のいずれか１つに係る帯域設定方法において、前記コンテンツデータは、配信レートを配信レート幅の範囲内で変更できるマルチビットレート型コンテンツであり、前記帯域情報（有線、無線）または前記帯域情報（無線）は、前記配信レート幅に関する情報を含み、前記無線基地局が、無線アクセスネットワークの帯域状況を前記サーバに対して送信するステップと、前記サーバが、有線ネットワークの帯域状況を監視するステップと、前記サーバが、前記無線端末から前記コンテンツデータ送信要求を受信した場合に、前記無線基地局から受信した無線アクセスネットワークの帯域状況と前記監視した有線ネットワークの帯域状況に基づいて、前記無線アクセスネットワークに設定可能な帯域の値である設定可能帯域値を算出するステップと、前記サーバが、前記算出した設定可能帯域値に対応する配信レートが前記帯域情報（有線、無線）または前記帯域情報（無線）に含まれる配信レート幅の範囲内にあるか否かを判定するステップと、前記サーバが、前記設定可能帯域値に対応する配信レートが前記帯域情報（有線、無線）または前記帯域情報（無線）に含まれる配信レート幅の範囲内にあると判定した場合に、前記帯域情報（有線、無線）または前記帯域情報（無線）の設定帯域値を前記設定可能帯域値に変更するステップと、前記サーバが、前記設定可能帯域値に対応する配信レートが帯域情報（有線、無線）または前記帯域情報（無線）に含まれる配信レート幅の範囲内であると判定した場合に、配信レートを前記設定可能帯域値に対応する配信レートに変更するステップと、前記サーバ、前記無線基地局、および前記無線端末が、前記設定帯域値が前記設定可能帯域値に変更された帯域情報（有線、無線）または帯域情報（無線）に基づいて、有線ネットワークおよび無線アクセスネットワークの帯域設定を開始するステップと、前記サーバが、前記無線端末から前記帯域設定完了通知を受信した場合に、前記無線端末から送信を要求された各コンテンツデータを前記無線端末に対してそれぞれ送信するステップと、を有することを特徴とする特徴とする帯域設定方法である。
【００２０】
第６の発明は、第５の発明に係る帯域設定方法において、前記無線基地局が、前記サーバから前記無線端末へのコンテンツデータの送信中に、無線アクセスネットワークの帯域状況を前記サーバに対して送信するステップと、前記サーバが、有線ネットワークの帯域状況を監視するステップと、前記サーバが、前記無線基地局から受信した無線アクセスネットワークの帯域状況と前記監視した有線ネットワークの帯域状況に基づいて、無線アクセスネットワークにおいて設定されている前記無線端末と前記無線基地局との間の無線帯域および有線ネットワークにおいて設定されている前記サーバと前記無線基地局との間の有線帯域を増やすことが可能であるか否かを判定するステップと、前記サーバが、配信レート幅と現在の配信レートとを比較し、配信レート幅内で配信レートを上げられるか否かを判定するステップと、前記サーバが、無線アクセスネットワークにおいて設定されている前記無線端末と前記無線基地局との間の無線帯域および有線ネットワークにおいて設定されている前記サーバと前記無線基地局との間の有線帯域を増やすことが可能であり、且つ配信レート幅内で配信レートを上げられると判定した場合に、前記帯域情報（有線、無線）または前記帯域情報（無線）の設定帯域値を増加させるステップと、前記サーバが、現在の配信レートを前記増加した設定帯域値に対応する配信レートに変更するステップと、前記サーバ、前記無線基地局、および前記無線端末が、前記増加した設定帯域値を含む帯域情報（有線、無線）または帯域情報（無線）に基づいて、有線ネットワークおよび無線アクセスネットワークの帯域設定を再度行うステップと、を有することを特徴とする帯域設定方法である。
【００２１】
第７の発明は、前記サーバは、前記サーバ、前記無線基地局、および前記無線端末による有線ネットワークおよび無線アクセスネットワークの再度の帯域設定が行われた後に、現在の配信レートを前記増加した設定帯域値に対応する配信レートに変更する、ことを特徴とする第６の発明に係る帯域設定方法である。
【００２２】
第８の発明は、第５の発明に係る帯域設定方法において、前記無線基地局が、前記サーバから前記無線端末へのコンテンツデータの送信中に、無線アクセスネットワークの帯域状況を前記サーバに対して送信するステップと、前記サーバが、有線ネットワークの帯域状況を監視するステップと、前記サーバが、前記無線基地局から受信した無線アクセスネットワークの帯域状況と前記監視した有線ネットワークの帯域状況に基づいて、無線アクセスネットワークにおいて設定されている前記無線端末と前記無線基地局との間の無線帯域または有線ネットワークにおいて設定されている前記サーバと前記無線基地局との間の有線帯域の確保が困難であるか否かを判定するステップと、前記サーバが、配信レート幅と現在の配信レートとを比較し、配信レート幅内で配信レートを下げられるか否かを判定するステップと、前記サーバが、無線アクセスネットワークにおいて設定されている前記無線端末と前記無線基地局との間の無線帯域または有線ネットワークにおいて設定されている前記サーバと前記無線基地局との間の有線帯域の確保が困難であり、且つ配信レート幅内で配信レートを下げられると判定した場合に、前記帯域情報（有線、無線）または前記帯域情報（無線）の設定帯域値を減少させるステップと、前記サーバが、現在の配信レートを前記減少した設定帯域値に対応する配信レートに変更するステップと、前記サーバ、前記無線基地局、および前記無線端末が、前記減少した設定帯域値を含む帯域情報（有線、無線）または帯域情報（無線）に基づいて、有線ネットワークおよび無線アクセスネットワークの帯域設定を再度行うステップと、を有することを特徴とする帯域設定方法である。
【００２３】
第９の発明は、前記サーバは、前記サーバ、前記無線基地局、および前記無線端末による有線ネットワークおよび無線アクセスネットワークの再度の帯域設定が行われる前に、現在の配信レートを前記減少した設定帯域値に対応する配信レートに変更する、ことを特徴とする第８の発明に係る帯域設定方法である。
【００２４】
第１０の発明は、第１の発明〜第９の発明のいずれか１つに係る帯域設定方法において、さらに、前記無線端末が、前記サーバから送信されるコンテンツデータを受信するステップと、前記無線端末が、前記コンテンツデータの受信の停止を検出した場合に、前記無線アクセスネットワークにおける前記無線基地局と前記無線端末との間の無線帯域を前記無線基地局が前記無線帯域設定要求に応じて設定した無線帯域から前記無線基地局が前記無線帯域設定要求に応じて設定する前の無線帯域へ変更するよう要求する無線帯域変更要求を、前記無線基地局に対して送信するステップと、前記無線基地局が、前記無線帯域変更要求を受信した場合に、前記受信した無線帯域変更要求に応じて、前記無線アクセスネットワークにおける前記無線基地局と前記無線端末との間の無線帯域を前記無線基地局が前記無線帯域設定要求に応じて設定した無線帯域から前記無線基地局が前記無線帯域設定要求に応じて設定する前の無線帯域へ変更し、無線帯域変更応答を前記無線端末に送信するステップと、前記有線ネットワークにおける各機器が、前記サーバから前記無線端末に送信されるコンテンツデータの中継の停止を検出し、かつ、前記中継の停止を検出してから一定時間が経過しても前記コンテンツデータの中継が再開されない場合に、前記コンテンツデータの中継のために確保していた有線帯域を解放するステップと、を有することを特徴とする帯域設定方法である。
【００２５】
第１１の発明は、第１の発明〜第９の発明のいずれか１つに係る帯域設定方法において、前記帯域情報（有線、無線）または前記帯域情報（無線）は、前記無線アクセスネットワークおよび前記有線ネットワークにおいて前記帯域情報（有線、無線）または前記帯域情報（無線）に応じた帯域を確保する時間を示す帯域確保時間を含み、前記無線端末から前記無線基地局に送信される無線帯域設定要求には、前記帯域確保時間が含まれ、前記無線基地局が、前記サーバから前記無線端末へのコンテンツデータの送信が開始された場合に、前記帯域確保時間を計測するタイマーをスタートさせるステップと、前記無線基地局が、前記タイマーの終了を検出した場合に、コンテンツデータの送信を停止するよう要求するコンテンツデータ送信停止要求を前記サーバに送信するステップと、前記無線基地局が、前記タイマーの終了を検出した場合に、前記無線アクセスネットワークにおける前記無線基地局と前記無線端末との間の無線帯域を前記無線基地局が前記無線帯域設定要求に応じて設定した無線帯域から前記無線基地局が前記無線帯域設定要求に応じて設定する前の無線帯域へ変更し、無線帯域変更応答を前記無線端末に送信するステップと、前記サーバが、前記無線基地局から前記コンテンツ送信停止要求を受信した場合に、コンテンツデータの前記無線端末への送信を停止するステップと、前記有線ネットワークにおける各機器が、前記サーバから前記無線端末に送信されるコンテンツデータの中継の停止を検出し、かつ、前記中継の停止を検出してから一定時間が経過しても前記コンテンツデータの中継が再開されない場合に、前記コンテンツデータの中継のために確保していた有線帯域を解放するステップと、を有することにより、帯域設定前のネットワーク状態に戻すことを特徴とする帯域設定方法である。
【００２６】
第１２の発明は、第１の発明〜第９の発明のいずれか１つに係る帯域設定方法において、前記帯域情報（有線、無線）または前記帯域情報（無線）は、前記無線アクセスネットワークおよび前記有線ネットワークにおいて前記帯域情報（有線、無線）または前記帯域情報（無線）に応じた帯域を確保する時間を示す帯域確保時間を含み、前記無線端末が、前記サーバからのコンテンツデータの受信を開始した場合に、前記帯域確保時間を計測するタイマーをスタートさせるステップと、前記無線端末が、前記タイマーの終了を検出した場合に、前記無線アクセスネットワークにおける前記無線基地局と前記無線端末との間の無線帯域を前記無線基地局が前記無線帯域設定要求に応じて設定した無線帯域から前記無線基地局が前記無線帯域設定要求に応じて設定する前の無線帯域へ変更するよう要求する無線帯域変更要求を、前記無線基地局に対して送信するステップと、前記無線端末が、前記タイマーの終了を検出した場合に、コンテンツデータの送信を停止するよう要求するコンテンツデータ送信停止要求を前記サーバに送信するステップと、前記無線基地局が、前記無線帯域変更要求を受信した場合に、前記受信した無線帯域変更要求に応じて、前記無線アクセスネットワークにおける前記無線基地局と前記無線端末との間の無線帯域を前記無線基地局が前記無線帯域設定要求に応じて設定した無線帯域から前記無線基地局が前記無線帯域設定要求に応じて設定する前の無線帯域へ変更し、無線帯域変更応答を前記無線端末に送信するステップと、前記サーバが、前記無線基地局から前記コンテンツ送信停止要求を受信した場合に、コンテンツデータの前記無線端末への送信を停止するステップと、前記有線ネットワークにおける各機器が、前記サーバから前記無線端末に送信されるコンテンツデータの中継の停止を検出し、かつ、前記中継の停止を検出してから一定時間が経過しても前記コンテンツデータの中継が再開されない場合に、前記コンテンツデータの中継のために確保していた有線帯域を解放するステップと、を有することにより、帯域設定前のネットワーク状態に戻すことを特徴とする帯域設定方法である。
【発明の効果】
【００２７】
以上説明したように、本発明によれば、無線アクセスネットワークの帯域設定と有線ネットワークの帯域設定とを連動させることができ、かつ、送信するコンテンツデータごとに必要にして十分な帯域を動的に設定できる。したがって、本発明によれば、コンテンツデータの送信時にのみ必要な帯域を無線端末−サーバ間のエンド−エンドで動的に確保することができる。
【００２８】
また、本発明は、無線アクセスネットワークの状況を無線基地局で予測する。したがって、本発明によれば、無線端末の処理負荷および無線アクセスネットワークの消費帯域を増加させることなく、配信レートの迅速な変更が可能となる。
【００２９】
また、本発明によれば、無線アクセスネットワークおよび有線ネットワークの設定帯域を配信レートの変更に応じて動的に変更できる。したがって、本発明によれば、配信レートを上げた場合には変更された配信レートで安定したデータ配信を行うことができ、また、配信レートを下げた場合には帯域を必要以上に確保してしまうことを防止することができる。
【発明を実施するための最良の形態】
【００３０】
以下に、添付した図面を参照しつつ、本発明の好適な実施の形態を詳細に説明する。
【実施例１】
【００３１】
図２は、第１の発明の実施例に係る帯域設定方法を適用されたコンテンツ提供システムの全体構成を示す図である。
【００３２】
図２に示すように、第１の発明の実施例に係る帯域設定方法を適用されたコンテンツ提供システムは、無線端末１（複数も可）と、この無線端末１に無線アクセスネットワーク２を介して接続された無線基地局３（複数も可）と、この無線基地局３に有線ネットワーク６を介して接続されたサーバ７と、を備えている。
【００３３】
サーバ７には、インターネットテレビやインターネットラジオなどの複数のコンテンツデータ８と、データベース９と、複数の帯域情報（有線、無線）１０と、が格納されている。      
【００３４】
ここで、帯域情報（有線、無線）１０とは、複数のコンテンツデータ８における各コンテンツデータの送信に必要となる無線アクセスネットワークおよび有線アクセスネットワークの帯域設定に関する情報をいう。この帯域情報（有線、無線）に含まれる情報としては、ネットワークで保証したい帯域値、遅延量、ピークレート値、最大パケットサイズ、最小パケットサイズ、予約スタイル、サービスクラスなどの各種ＱｏＳ（Ｑｕａｌｉｔｙ
Ｏｆ  Ｓｅｒｖｉｃｅ）パラメータが考えられるが、このうちの一部の情報でもよく、またそれ以外の情報を含めてもよい。
【００３５】
また、データベース９には、各コンテンツデータと各帯域情報（有線、無線）１０との対応関係が記されている。
【００３６】
つぎに、第１の発明の実施例に係る帯域設定方法を簡単に説明する。
【００３７】
図２の無線端末１は、サーバ７に格納される複数のコンテンツデータ８の中から１つ以上のコンテンツデータがユーザまたはアプリケーションなどによって選択された場合に、この選択されたコンテンツデータの送信を要求するコンテンツデータ送信要求をサーバ７に対して送信する。
【００３８】
無線端末１からコンテンツデータ送信要求を受信したサーバ７は、この受信を契機として、当該送信を要求されたコンテンツデータ８に対応する帯域情報（有線、無線）１０をデータベース９を用いて選択し、この選択した帯域情報（有線、無線）１０を無線端末１に対して送信する。
【００３９】
サーバ７から帯域情報（有線、無線）１０を受信した無線端末１は、この受信した帯域情報を用いて、当該送信を要求しているコンテンツデータの送信（マルチキャスト送信も可）に必要となる無線帯域を無線アクセスネットワーク２において設定するための情報を含む無線帯域設定要求を無線基地局３に対し送信する。
【００４０】
なお、無線端末１が複数のコンテンツデータの送信をサーバ７に対して要求した場合には、各コンテンツデータが必要とする帯域の合計値に関する情報が、無線帯域設定要求に含まれる。
【００４１】
無線端末１から無線帯域設定要求を受信した無線基地局３は、この受信した無線帯域設定要求に基づいて、前記コンテンツデータの送信に必要な無線アクセスネットワーク２の帯域を設定する。
【００４２】
また、サーバ７から帯域情報（有線、無線）１０を受信した無線端末１は、この受信した帯域情報を用いて、当該送信を要求しているコンテンツデータの送信（マルチキャスト送信も可）に必要となる有線帯域を有線ネットワーク６において設定するための情報を含む有線帯域設定要求をサーバ７に対して送信する。
【００４３】
なお、無線端末１が複数のコンテンツデータの送信をサーバ７に対して要求した場合には、各コンテンツデータが必要とする帯域の合計値に関する情報が、有線帯域設定要求に含まれる。
【００４４】
無線端末１からサーバ７に対して有線帯域設定要求が送信された場合、サーバ７および有線ネットワーク６に属する有線ネットワーク機器（エッジルータ４、エッジルータ５を含む）は、エッジルータ４とエッジルータ５とサーバ７とを含む有線ネットワーク６において一貫した帯域確保を行う。
【００４５】
なお、第１の発明の実施例におけるサーバ７および有線ネットワーク６に属する有線ネットワーク機器は、ＲＳＶＰ（ｒｅｓｏｕｒｃｅ  ＲｅＳｅｒＶａｔｉｏｎ  Ｐｒｏｔｏｃｏｌ）を用いて、有線ネットワーク６で一貫した帯域確保を行う。ただし、本発明は、有線ネットワーク６で一貫した帯域確保を行う方法を、ＲＳＶＰを用いた方法に限定するものではない。
【００４６】
つぎに、第１の発明の実施例に係る帯域設定方法を詳細に説明する。
【００４７】
図１は、第１の発明の実施例に係る帯域設定方法を説明するためのシーケンス図である。
【００４８】
まず、ユーザまたはアプリケーションなどが、インターネットテレビやインターネットラジオなどのコンテンツデータ８を無線端末１上で選択する。
【００４９】
つぎに、無線端末１が、選択されたコンテンツデータ８の送信を要求するコンテンツデータ送信要求をサーバ７に対して送信する  （Ｓ１）。
【００５０】
つぎに、無線端末１からコンテンツデータ送信要求を受信したサーバ７が、当該送信を要求されたコンテンツデータ８の送信に必要な帯域情報（有線、無線）１０をデータベース９を用いて選択し、この選択した帯域情報（有線、無線）１０を無線端末１に対して送信する（Ｓ２）。
【００５１】
つぎに、サーバ７から帯域情報（有線、無線）１０を受信した無線端末１が、コンテンツデータの送信に必要となる帯域を無線アクセスネットワーク２において設定するための情報を含む無線帯域設定要求を無線基地局３に対して送信する（Ｓ３）とともに、コンテンツデータの送信に必要となる帯域を有線ネットワーク６において設定するための情報を含む有線帯域設定要求をサーバ７に対して送信する（Ｓ４）。
【００５２】
つぎに、無線帯域設定要求を受信した無線基地局３が、無線アクセスネットワーク２において無線基地局３と無線端末１との間に無線帯域設定要求で要求された帯域を設定（Ｓ５）し、無線帯域設定が完了した旨を無線帯域設定応答として無線端末１に送信する（Ｓ６）。  
【００５３】
つぎに、有線帯域設定要求を受信したサーバ７が、ＲＳＶＰにより有線ネットワーク６の帯域設定を行うため、無線端末１に対してＰＡＴＨメッセージを送信する（Ｓ７）。
【００５４】
つぎに、ＲＳＶＰに対応した有線ネットワーク６内の機器が、ＰＡＴＨメッセージを中継し（Ｓ８）、最終的に無線端末１までＰＡＴＨメッセージを到達させる（Ｓ９）。
【００５５】
なお、無線基地局３は、ＲＳＶＰに対応していないため、ＰＡＴＨメッセージはトンネリングされる。
【００５６】
つぎに、ＰＡＴＨメッセージを受信した無線端末１が、Ｓ２でサーバ７から受信した帯域情報（有線、無線）１０に基づいて、コンテンツデータ送信時に必要となる有線ネットワーク６の帯域を設定するための情報をＲＥＳＶメッセージのパラメータとして設定し、ＲＥＳＶメッセージをサーバ７に送信する（Ｓ１０）。
【００５７】
ＲＥＳＶメッセージは、ＰＡＴＨメッセージが送信されたルートを逆にたどりながら有線ネットワーク６内の機器で中継され（Ｓ１１）、サーバ７で受信される（Ｓ１２）。
【００５８】
サーバ７および有線ネットワーク６内の全ての機器においてＲＳＶＰによる有線帯域の設定が完了すると、サーバ７は、無線端末１に対して有線帯域設定が完了した旨を有線帯域設定応答（ＲＳＶＰの場合は予約完了メッセージ）として無線端末１に対して送信する（Ｓ１３）。
【００５９】
つぎに、無線基地局３からの無線帯域設定応答およびサーバ７からの有線帯域設定応答を受信した無線端末１が、帯域設定が完了した旨を帯域設定完了通知としてサーバ７に対して送信する（Ｓ１４）。
【００６０】
つぎに、帯域設定完了通知を受信したサーバ７が、前記送信を要求されたコンテンツデータ８の送信を無線端末１に対して開始する（Ｓ１５）。
【００６１】
以上説明したように、第１の発明の実施例に係る帯域設定方法によれば、無線端末１からのコンテンツデータ送信要求を契機にコンテンツデータ８ごとの帯域情報（有線、無線）１０がサーバ７から無線端末１へ送信され、この帯域情報（有線、無線）１０を用いて無線アクセスネットワーク２および有線ネットワーク６の帯域が設定される。
【００６２】
したがって、第１の発明の実施例に係る帯域設定方法によれば、無線端末１と無線基地局３との間の無線アクセスネットワーク２のみならず、無線基地局３に接続されるエッジルータ４とサーバ７に接続されるエッジルータ５との間の有線ネットワーク６およびエッジルータ５とサーバ７との間の有線ネットワーク６においても、コンテンツデータ８の送信に必要な帯域が自動的に確保される。
【００６３】
よって、第１の発明の実施例によれば、無線端末１とサーバ７間のエンド−エンドのネットワークにおいて、コンテンツデータ８の送信に必要な帯域だけ動的に確保することが可能となる。
【実施例２】
【００６４】
つぎに、第２の発明の実施例に係る帯域設定方法について説明する。
【００６５】
図４は、第２の発明の実施例に係る帯域設定方法を適用されたコンテンツ提供システムの全体構成を示す図である。
【００６６】
図４に示すように、第２の発明の実施例に係る帯域設定方法を適用されたコンテンツ提供システムは、無線端末１（複数も可）と、この無線端末１に無線アクセスネットワーク２を介して接続された無線基地局３（複数も可）と、この無線基地局３に有線ネットワーク６を介して接続されるサーバ７と、を備えている。
【００６７】
サーバ７には、インターネットテレビやインターネットラジオなどの複数のコンテンツデータ８と、データベース９と、複数の帯域情報（無線）１３と、が格納されている。
【００６８】
ここで、帯域情報（無線）１３とは、複数のコンテンツデータ８における各コンテンツデータの送信に必要となる無線アクセスネットワークの帯域設定に関する情報をいう。この帯域情報（無線）に含まれる情報としては、ネットワークで保証したい帯域値、遅延量、ピークレート値、最大パケットサイズ、最小パケットサイズ、予約スタイル、サービスクラスなどの各種ＱｏＳ（Ｑｕａｌｉｔｙ  Ｏｆ  Ｓｅｒｖｉｃｅ）パラメータが考えられるが、このうちの一部の情報でもよく、またそれ以外の情報を含めてもよい。
【００６９】
また、データベース９には、各コンテンツデータと各帯域情報（無線）１３との対応関係が記されている。
【００７０】
つぎに、第２の発明の実施例に係る帯域設定方法を簡単に説明する。
【００７１】
図４の無線端末１は、サーバ７に格納される複数のコンテンツデータ８の中から１つ以上のコンテンツデータがユーザまたはアプリケーションなどによって選択された場合に、この選択されたコンテンツデータの送信を要求するコンテンツデータ送信要求をサーバ７に対して送信する。
【００７２】
無線端末１からコンテンツデータ送信要求を受信したサーバ７は、この受信を契機として、当該送信を要求されたコンテンツデータ８に対応する帯域情報（無線）１３をデータベース９を用いて選択し、この選択した帯域情報（無線）１３を無線端末１に対して送信する。
【００７３】
サーバ７から帯域情報（無線）１３を受信した無線端末１は、この受信した帯域情報（無線）１３を用いて、当該送信を要求しているコンテンツデータの送信（マルチキャスト送信も可）に必要となる無線帯域を無線アクセスネットワーク２において設定するための情報を含む無線帯域設定要求を無線基地局３に対し送信する。
【００７４】
なお、無線端末１が複数のコンテンツデータの送信をサーバ７に対して要求した場合には、各コンテンツデータが必要とする帯域の合計値に関する情報が、無線帯域設定要求に含まれる。
【００７５】
無線端末１から無線帯域設定要求を受信した無線基地局３は、この受信した無線帯域設定要求に基づいて、前記コンテンツデータの送信に必要な無線アクセスネットワーク２の帯域を設定する。
【００７６】
また、無線端末１から無線帯域設定要求を受信した無線基地局３は、この受信した無線帯域設定要求に基づいて、有線帯域設定情報を作成する。ここで、有線帯域設定情報とは、当該送信を要求しているコンテンツデータの送信（マルチキャスト送信も可）に必要となる有線帯域を有線ネットワーク６において設定するための情報をいう。無線基地局３は、作成した有線帯域設定情報を含む有線帯域設定要求をサーバ７に対して送信する。
【００７７】
なお、無線端末１が複数のコンテンツデータの送信をサーバ７に対して要求した場合には、各コンテンツデータが必要とする帯域の合計値に関する情報が、有線帯域設定要求に含まれる。
【００７８】
無線基地局３からサーバ７に対して有線帯域設定要求が送信された場合、無線基地局３とサーバ７と有線ネットワーク６に属する有線ネットワーク機器（エッジルータ４、エッジルータ５を含む）とは、無線基地局３とサーバ７との間の有線ネットワーク６において一貫した帯域確保を行う。
【００７９】
なお、第２の発明の実施例における無線基地局３とサーバ７と有線ネットワーク６に属する有線ネットワーク機器とは、ＲＳＶＰ（ｒｅｓｏｕｒｃｅ  ＲｅＳｅｒＶａｔｉｏｎ  Ｐｒｏｔｏｃｏｌ）を用いて、有線ネットワーク６で一貫した帯域確保を行う。ただし、本発明は、有線ネットワーク６で一貫した帯域確保を行う方法を、ＲＳＶＰを用いた方法に限定するものではない。
【００８０】
つぎに、第２の発明の実施例に係る帯域設定方法を詳細に説明する。
【００８１】
図３は、第２の発明の実施例に係る帯域設定方法を説明するためのシーケンス図である。
【００８２】
まず、ユーザまたはアプリケーションなどが、インターネットテレビやインターネットラジオなどの送信を希望するコンテンツデータ８を無線端末１上で選択する。
【００８３】
つぎに、無線端末１が、選択されたコンテンツデータ８の送信を要求するコンテンツデータ送信要求をサーバ７に対して送信する  （Ｓ１）。
【００８４】
つぎに、無線端末１からコンテンツデータ送信要求を受信したサーバ７が、当該送信を要求されたコンテンツデータ８を受信するために必要な帯域情報（無線）１３をデータベース９を用いて選択し、この選択した帯域情報（無線）１３を無線端末１に対して送信する（Ｓ２）。
【００８５】
つぎに、サーバ７から帯域情報（無線）１３を受信した無線端末１が、この受信した帯域情報（無線）１３を用いて、当該送信を要求しているコンテンツデータの送信に必要となる無線帯域を無線アクセスネットワーク２において設定するための情報を含む無線帯域設定要求を無線基地局３に対し送信する（Ｓ３）。
【００８６】
つぎに、無線帯域設定要求を受信した無線基地局３が、無線アクセスネットワーク２において無線基地局３と無線端末１との間に無線帯域設定要求で要求された帯域を設定する（Ｓ４）。
【００８７】
つぎに、無線基地局３が、無線端末１から受信した無線帯域設定要求を用いて、当該送信を要求しているコンテンツデータの送信に必要となる有線帯域を有線ネットワーク６において設定するための情報（有線帯域設定情報）を作成し（Ｓ５）、この作成した有線帯域設定情報を含む有線帯域設定要求をサーバ７に対して送信する（Ｓ６）。
【００８８】
つぎに、有線帯域設定要求を受信したサーバ７が、ＲＳＶＰにより有線ネットワーク６の帯域設定を行うため、無線基地局３に対してＰＡＴＨメッセージを送信する（Ｓ７）。
【００８９】
つぎに、ＲＳＶＰに対応した有線ネットワーク６内の機器が、ＰＡＴＨメッセージを中継し（Ｓ８）、最終的に無線基地局３までＰＡＴＨメッセージを到達させる（Ｓ９）。
【００９０】
つぎに、ＰＡＴＨメッセージを受信した無線基地局３は、Ｓ５で作成した有線帯域設定情報に基づいて、コンテンツデータ送信時に有線ネットワーク６において必要となる帯域を設定するために必要となる情報をＲＥＳＶメッセージのパラメータとして設定し、ＲＥＳＶメッセージをサーバ７に送信する（Ｓ１０）。
【００９１】
ＲＥＳＶメッセージは、ＰＡＴＨメッセージが送信されたルートを逆にたどりながら有線ネットワーク６内の機器で中継され（Ｓ１１）、サーバ７で受信される（Ｓ１２）。
【００９２】
無線基地局３とサーバ７と有線ネットワーク６内の全ての機器とにおいてＲＳＶＰによる有線帯域の設定が完了すると、サーバ７は、有線帯域設定が完了した旨を有線帯域設定応答（ＲＳＶＰの場合は予約完了メッセージ）として無線基地局３に対して送信する（Ｓ１３）。
【００９３】
つぎに、サーバ７から有線帯域設定応答を受信した無線基地局３が、無線端末１に対して帯域設定応答を送信する（Ｓ１４）。
【００９４】
つぎに、無線基地局３から帯域設定応答を受信した無線端末１が、帯域設定が完了した旨を帯域設定完了通知としてサーバ７に対して送信する（Ｓ１５）。
【００９５】
つぎに、帯域設定完了通知を受信したサーバ７が、前記送信を要求されたコンテンツデータ８の送信を無線端末１に対して開始する（Ｓ１６）。
【００９６】
以上説明したように、第２の発明の実施例に係る帯域設定方法によれば、無線端末１からのコンテンツデータ送信要求を契機にコンテンツデータ８ごとの帯域情報（無線）１３がサーバ７から無線端末１へ送信され、この帯域情報（無線）１３を用いて無線アクセスネットワーク２および有線ネットワーク６の帯域が設定される。
【００９７】
したがって、第２の発明の実施例に係る帯域設定方法によれば、無線端末１と無線基地局３との間の無線アクセスネットワーク２のみならず、無線基地局３とサーバ７との間の有線ネットワーク６においても、コンテンツデータ８の送信に必要な帯域が自動的に確保される。
【００９８】
よって、第２の発明の実施例によれば、無線端末１とサーバ７間のエンド−エンドのネットワークにおいて、コンテンツデータ８の送信に必要な帯域だけ動的に確保することが可能となる。
【実施例３】
【００９９】
つぎに、第３の発明の実施例に係る帯域設定方法について説明する。
【０１００】
図６は、第３の発明の実施例に係る帯域設定方法を適用されたコンテンツ提供システムの全体構成を示す図である。
【０１０１】
図６に示すように、第３の発明の実施例に係る帯域設定方法を適用されたコンテンツ提供システムは、無線端末１（複数も可）と、この無線端末１に無線アクセスネットワーク２を介して接続された無線基地局３（複数も可）と、この無線基地局３に有線ネットワーク６を介して接続されるサーバ７と、を備えている。
【０１０２】
サーバ７には、インターネットテレビやインターネットラジオなどの複数のコンテンツデータ８と、データベース９と、複数の帯域情報（無線）１３と、が格納されている。
【０１０３】
ここで、帯域情報（無線）１３とは、複数のコンテンツデータ８における各コンテンツデータの送信に必要となる無線アクセスネットワークの帯域設定に関する情報をいう。この帯域情報（無線）に含まれる情報としては、ネットワークで保証したい帯域値、遅延量、ピークレート値、最大パケットサイズ、最小パケットサイズ、予約スタイル、サービスクラスなどの各種ＱｏＳ（Ｑｕａｌｉｔｙ  Ｏｆ  Ｓｅｒｖｉｃｅ）パラメータが考えられるが、このうちの一部の情報でもよく、またそれ以外の情報を含めてもよい。
【０１０４】
また、データベース９には、各コンテンツデータと各帯域情報（無線）１３との対応関係が記されている。
【０１０５】
つぎに、第３の発明の実施例に係る帯域設定方法を簡単に説明する。      
【０１０６】
図６の無線端末１は、サーバ７に格納される複数のコンテンツデータ８の中から１つ以上のコンテンツデータがユーザまたはアプリケーションなどによって選択された場合に、この選択されたコンテンツデータの送信を要求するコンテンツデータ送信要求をサーバ７に対して送信する。
【０１０７】
無線端末１からコンテンツデータ送信要求を受信したサーバ７は、この受信を契機として、当該送信を要求されたコンテンツデータに対応する帯域情報（無線）１３をデータベース９を用いて選択し、この選択した帯域情報（無線）を無線端末１に対して送信する。
【０１０８】
サーバ７から帯域情報（無線）１３を受信した無線端末１は、この受信した帯域情報を用いて、当該送信を要求しているコンテンツデータの送信（マルチキャスト送信も可）に必要となる無線帯域を無線アクセスネットワーク２において設定するための情報を含む無線帯域設定要求を無線基地局３に対し送信する。
【０１０９】
なお、無線端末１が複数のコンテンツデータの送信をサーバ７に対して要求した場合には、各コンテンツデータが必要とする帯域の合計値に関する情報が、無線帯域設定要求に含まれる。
【０１１０】
無線端末１から無線帯域設定要求を受信した無線基地局３は、この受信した無線帯域設定要求に基づいて、前記コンテンツデータの送信に必要な無線アクセスネットワーク２の帯域を設定する。
【０１１１】
また、サーバ７から帯域情報（無線）を受信した無線端末１は、この受信した帯域情報（無線）を用いて、有線帯域設定情報を作成する。ここで、有線帯域設定情報とは、当該送信を要求しているコンテンツデータの送信（マルチキャスト送信も可）に必要となる有線帯域を有線ネットワーク６において設定するための情報をいう。  
【０１１２】
無線端末１は、この作成した有線帯域設定情報を含む有線帯域設定要求をサーバ７に対し送信する。
【０１１３】
なお、無線端末１が複数のコンテンツデータの送信をサーバ７に対して要求した場合には、各コンテンツデータが必要とする帯域の合計値に関する情報が、有線帯域設定要求に含まれる。
【０１１４】
無線端末１からサーバ７に対して有線帯域設定要求が送信された場合、無線基地局３とサーバ７と有線ネットワーク６に属する有線ネットワーク機器（エッジルータ４、エッジルータ５を含む）とは、無線基地局３とサーバ７との間の有線ネットワーク６において一貫した帯域確保を行う。
【０１１５】
なお、第３の発明の実施例における無線基地局３とサーバ７と有線ネットワーク６に属する有線ネットワーク機器とは、ＲＳＶＰ（ｒｅｓｏｕｒｃｅ  ＲｅＳｅｒＶａｔｉｏｎ
Ｐｒｏｔｏｃｏｌ）を用いて、有線ネットワーク６で一貫した帯域確保を行う。つまり、サーバ７および有線ネットワーク６に属する有線ネットワーク機器は、全てＲＳＶＰプロトコルをサポートしているものとする。ただし、無線基地局３はＲＳＶＰプロトコルに対応していないため、ＲＳＶＰメッセージはトンネリングされることになる。なお、本発明は、有線ネットワーク６で一貫した帯域確保を行う方法を、ＲＳＶＰを用いた方法に限定するものではない。
【０１１６】
つぎに、第３の発明の実施例に係る帯域設定方法を詳細に説明する。
【０１１７】
図５は、第３の発明の実施例に係る帯域設定方法を説明するためのシーケンス図である。      
【０１１８】
まず、ユーザまたはアプリケーションなどが、インターネットテレビやインターネットラジオなどの送信を希望するコンテンツデータ８を無線端末１上で選択する。
【０１１９】
つぎに、無線端末１が、選択されたコンテンツデータ８の送信を要求するコンテンツデータ送信要求をサーバ７に対して送信する  （Ｓ１）。
【０１２０】
つぎに、無線端末１からコンテンツデータ送信要求を受信したサーバ７が、当該送信を要求されたコンテンツデータ８を受信するために必要な帯域情報（無線）１３をデータベース９を用いて選択し、この選択した帯域情報（無線）１３を無線端末１に対して送信する（Ｓ２）。
【０１２１】
つぎに、サーバ７から帯域情報（無線）１３を受信した無線端末１が、この受信した帯域情報を用いて、当該送信を要求しているコンテンツデータの送信に必要となる無線帯域を無線アクセスネットワーク２において設定するための情報を含む無線帯域設定要求を無線基地局３に対し送信する（Ｓ３）。
【０１２２】
つぎに、無線端末１が、サーバ７から受信した帯域情報（無線）１３を用いて、当該送信を要求しているコンテンツデータの送信に必要となる有線帯域を有線ネットワーク６において設定するための情報（有線帯域設定情報）を作成する（Ｓ４）。
【０１２３】
つぎに、無線端末１が、作成した有線帯域設定情報を含む有線帯域設定要求をサーバ７に対して送信する（Ｓ５）。
【０１２４】
なお、無線端末１は、上記とは異なり、有線帯域設定要求をサーバ７に送信してから、無線帯域設定要求を無線基地局３に送信してもよい。
【０１２５】
つぎに、無線帯域設定要求を受信した無線基地局３が、無線アクセスネットワーク２において無線基地局３と無線端末１との間に無線帯域設定要求で要求された帯域を設定し（Ｓ６）、無線帯域が設定された旨を通知する無線帯域設定応答を無線端末１に送信する（Ｓ７）。
【０１２６】
つぎに、有線帯域設定要求を受信したサーバ７が、ＲＳＶＰにより有線ネットワーク６の帯域設定を行うため、無線端末１に向けてＰＡＴＨメッセージを送信する（Ｓ８）。
【０１２７】
つぎに、ＲＳＶＰに対応した有線ネットワーク６内の機器が、ＰＡＴＨメッセージを中継し（Ｓ９）、最終的に無線端末１までＰＡＴＨメッセージを到達させる（Ｓ１０）。なお、無線基地局３はＲＳＶＰに対応していないため、ＰＡＴＨメッセージはトンネリングされる。
【０１２８】
つぎに、ＰＡＴＨメッセージを受信した無線端末１は、Ｓ４で作成した有線帯域設定情報に基づいて、コンテンツデータ送信時に有線ネットワーク６において必要となる帯域を設定するために、この設定に必要となる情報をＲＥＳＶメッセージのパラメータとして設定し、ＲＥＳＶメッセージをサーバ７に向けて送信する（Ｓ１１）。
【０１２９】
ＲＥＳＶメッセージは、ＰＡＴＨメッセージが送信されたルートを逆にたどりながら有線ネットワーク６内の機器で中継され（Ｓ１２）、サーバ７で受信される（Ｓ１３）。        
【０１３０】
無線基地局３とサーバ７と有線ネットワーク６内の全ての機器とにおいてＲＳＶＰによる有線帯域の設定が完了すると、サーバ７は、有線帯域設定が完了した旨を有線帯域設定応答（ＲＳＶＰの場合は予約完了メッセージ）として無線端末１に対して送信する（Ｓ１４）。
【０１３１】
つぎに、無線基地局３からの無線帯域設定応答とサーバ７からの有線帯域設定応答とを受信した無線端末１が、帯域設定が完了した旨を帯域設定完了通知としてサーバ７に対して送信する（Ｓ１５）。
【０１３２】
そして、帯域設定完了通知を受信したサーバ７が、前記送信を要求されたコンテンツデータ８の送信を無線端末１に対して開始する（Ｓ１６）。
【０１３３】
以上説明したように、第３の発明の実施例は、サーバに格納されている帯域情報（無線）を用いて、無線端末と無線基地局間の無線アクセスネットワークの帯域およびエッジルータとサーバ間の有線ネットワークの帯域を自動的に設定する。すなわち、第３の発明の実施例においては、サーバは複数のコンテンツデータおよびそれぞれのコンテンツデータごとに帯域設定を可能とする帯域情報（無線）を有し、無線端末よりサーバ上のコンテンツが選択されるとサーバはこれを契機に帯域情報（無線）を無線端末に送信する。帯域情報（無線）を受信した無線端末は無線基地局に対し帯域情報（無線）に対応した無線帯域設定要求を送信するとともに、帯域情報（無線）に対応した有線帯域設定情報を作成する。無線帯域設定要求を受信した無線基地局は、無線端末との間の無線アクセスネットワークにおいて要求された無線帯域を設定する。有線帯域設定情報を作成した無線端末はサーバに対し、有線帯域設定情報に対応した有線帯域設定要求を送信し、有線帯域設定要求を受信したサーバは無線端末との間の有線ネットワークにおいて有線帯域設定情報に対応した有線帯域を設定する。無線端末は無線アクセスネットワークおよび有線ネットワークにおいて要求した帯域の確保が完了した後、サーバに対して帯域設定完了通知を送信し、帯域設定完了通知を受信したサーバは無線端末に対し該コンテンツデータの送信を開始する。これにより、無線端末からのコンテンツ選択を契機にコンテンツデータごとの帯域情報（無線）を無線端末に送信し、帯域情報（無線）を用いて無線アクセスネットワークおよび有線ネットワークの帯域を設定することで、無線端末とサーバ間のエンド−エンドのネットワーク帯域を確保することが可能となる。
【０１３４】
このように、第３の発明に係る実施例によれば、無線端末からのコンテンツ選択を契機に、無線端末とサーバ間のエンド−エンドのネットワーク帯域をコンテンツデータ受信に必要な帯域だけ動的に設定することができる。
【実施例４】
【０１３５】
つぎに、第４の発明の実施例に係る帯域設定方法について説明する。
【０１３６】
図８は、第４の発明の実施例に係る帯域設定方法を適用されたコンテンツ提供システムの全体構成を示す図である。
【０１３７】
図８に示すように、第４の発明の実施例に係る帯域設定方法を適用されたコンテンツ提供システムは、無線端末１（複数も可）と、この無線端末１に無線アクセスネットワーク２を介して接続された無線基地局３（複数も可）と、この無線基地局３に有線ネットワーク６を介して接続されるサーバ７と、を備えている。
【０１３８】
サーバ７には、インターネットテレビやインターネットラジオなどの複数のコンテンツデータ８と、データベース９と、複数の帯域情報（無線）１３と、が格納されている。また、サーバ７は、コンテンツデータ８の配信レートを変更できる配信レート管理機能１４を備えている。
【０１３９】
ここで、コンテンツデータ８は、配信レートを変更できるマルチビットレート型コンテンツであり、帯域情報（無線）１３とは、複数のコンテンツデータ８における各コンテンツデータの送信に必要となる無線アクセスネットワークの帯域設定に関する情報をいう。第４の発明に係る実施例においては、帯域情報（無線）１３にコンテンツデータ８ごとに変更できる配信レート幅の情報が含まれている。配信レート幅の情報のほかにも、ネットワークで保証したい帯域値、遅延量、ピークレート値、最大パケットサイズ、最小パケットサイズ、予約スタイル、サービスクラスなどの各種ＱｏＳ（Ｑｕａｌｉｔｙ  Ｏｆ  Ｓｅｒｖｉｃｅ）パラメータが帯域情報（有線、無線）に含まれると考えられるが、このうちの一部の情報でもよく、またそれ以外の情報を含めてもよい。
【０１４０】
また、データベース９には、各コンテンツデータと各帯域情報（無線）１３との対応関係が記されている。
【０１４１】
つぎに、第４の発明の実施例に係る帯域設定方法を簡単に説明する。
【０１４２】
図８の無線端末１は、サーバ７に格納される複数のコンテンツデータ８の中から１つ以上のコンテンツデータがユーザまたはアプリケーションなどによって選択された場合に、この選択されたコンテンツデータの送信を要求するコンテンツデータ送信要求をサーバ７に対して送信する。
【０１４３】
無線端末１からコンテンツデータ送信要求を受信したサーバ７は、この受信を契機として、当該送信を要求されたコンテンツデータに対応する帯域情報（無線）１３をデータベース９を用いて選択し、この選択した帯域情報（無線）１３を無線端末１に対して送信する。なお、帯域情報（無線）１３には無線アクセスネットワーク２において設定する無線帯域の値に関する情報（設定帯域値）が含まれているが、ここでは、コンテンツデータ８の配信レートを最大にする帯域値が設定帯域値として設定されている。
【０１４４】
サーバ７から帯域情報（無線）１３を受信した無線端末１は、この受信した帯域情報を用いて、当該送信を要求しているコンテンツデータの送信（マルチキャスト送信も可）に必要となる無線帯域を無線アクセスネットワーク２において設定するための情報を含む無線帯域設定要求を無線基地局３に対し送信する。
【０１４５】
なお、無線端末１が複数のコンテンツデータの送信をサーバ７に対して要求した場合には、各コンテンツデータが必要とする帯域の合計値に関する情報が、無線帯域設定要求に含まれる。
【０１４６】
無線端末１から無線帯域設定要求を受信した無線基地局３は、この受信した無線帯域設定要求に基づいて、前記コンテンツデータの送信に必要な無線アクセスネットワーク２の帯域を設定する。
【０１４７】
また、サーバ７から帯域情報（無線）を受信した無線端末１は、この受信した帯域情報（無線）を用いて、有線帯域設定情報を作成する。ここで、有線帯域設定情報とは、当該送信を要求しているコンテンツデータの送信（マルチキャスト送信も可）に必要となる有線帯域を有線ネットワーク６において設定するための情報をいう。  
【０１４８】
無線端末１は、この作成した有線帯域設定情報を含む有線帯域設定要求をサーバ７に対し送信する。
【０１４９】
なお、無線端末１が複数のコンテンツデータの送信をサーバ７に対して要求した場合には、各コンテンツデータが必要とする帯域の合計値に関する情報が、有線帯域設定要求に含まれる。
【０１５０】
無線端末１からサーバ７に対して有線帯域設定要求が送信された場合、無線基地局３とサーバ７と有線ネットワーク６に属する有線ネットワーク機器（エッジルータ４、エッジルータ５を含む）とは、無線基地局３とサーバ７との間の有線ネットワーク６において一貫した帯域確保を行う。
【０１５１】
なお、第４の発明の実施例における無線基地局３とサーバ７と有線ネットワーク６に属する有線ネットワーク機器とは、ＲＳＶＰ（ｒｅｓｏｕｒｃｅ  ＲｅＳｅｒＶａｔｉｏｎ
Ｐｒｏｔｏｃｏｌ）を用いて、有線ネットワーク６で一貫した帯域確保を行う。つまり、サーバ７および有線ネットワーク６に属する有線ネットワーク機器は、全てＲＳＶＰプロトコルをサポートしているものとする。ただし、無線基地局３はＲＳＶＰプロトコルに対応していないため、ＲＳＶＰメッセージはトンネリングされることになる。なお、本発明は、有線ネットワーク６で一貫した帯域確保を行う方法を、ＲＳＶＰを用いた方法に限定するものではない。
【０１５２】
無線端末１は、無線基地局３からの無線帯域設定応答とサーバ７からの有線帯域設定応答を受信したものの、無線アクセスネットワーク２または有線ネットワーク６における帯域の設定が失敗したことを検出した場合、サーバ７に帯域設定の失敗を帯域設定失敗通知として送信する。
【０１５３】
ここで、この帯域設定失敗通知には、帯域設定が失敗した無線アクセスネットワーク２または有線ネットワーク６において設定可能な帯域の情報である設定可能帯域値が含まれている。
【０１５４】
帯域設定失敗通知を受信したサーバ７は、設定可能帯域値が帯域情報（無線）１３に含まれる配信レート幅の範囲内であるか判定を行い、配信レート幅に含まれる場合は、配信レート管理機能１４により配信レートを設定可能帯域値に対応する配信レートに変更するとともに、帯域情報（無線）１３の設定帯域値を設定可能帯域値に変更する。
【０１５５】
また、サーバ７は、変更された帯域情報（無線）１３をもとに再度有線ネットワーク６および無線アクセスネットワーク２の帯域設定を行う。
【０１５６】
つぎに、第４の発明の実施例に係る帯域設定方法を詳細に説明する。
【０１５７】
図７は、第４の発明の実施例に係る帯域設定方法を説明するためのシーケンス図である。
【０１５８】
まず、ユーザまたはアプリケーションなどが、インターネットテレビやインターネットラジオなどの送信を希望するコンテンツデータ８を無線端末１上で選択する。
【０１５９】
つぎに、無線端末１が、選択されたコンテンツデータ８の送信を要求するコンテンツデータ送信要求をサーバ７に対して送信する  （Ｓ１）。
【０１６０】
つぎに、無線端末１からコンテンツデータ送信要求を受信したサーバ７が、当該送信を要求されたコンテンツデータ８を受信するために必要な帯域情報（無線）１３をデータベース９を用いて選択し、この選択した帯域情報（無線）１３を無線端末１に対して送信する（Ｓ２）。ここで、コンテンツデータ８は配信レートを変更できるマルチビットレート型コンテンツであり、また、帯域情報（無線）１３には変更できる配信レート幅の情報が含まれている。また、帯域情報（無線）１３に含まれる設定帯域値には、配信レートを最大にする値が設定されている。なお、無線端末１に対し送信する情報は、帯域情報（無線）１３の一部でもよい。
【０１６１】
つぎに、サーバ７から帯域情報（無線）１３を受信した無線端末１が、この受信した帯域情報を用いて、当該送信を要求しているコンテンツデータの送信に必要となる無線帯域を無線アクセスネットワーク２において設定するための情報を含む無線帯域設定要求を無線基地局３に対し送信する（Ｓ３）。
【０１６２】
つぎに、無線端末１が、サーバ７から受信した帯域情報（無線）１３を用いて、当該送信を要求しているコンテンツデータの送信に必要となる有線帯域を有線ネットワーク６において設定するための情報（有線帯域設定情報）を作成する（Ｓ４）。
【０１６３】
つぎに、無線端末１が、作成した有線帯域設定情報を含む有線帯域設定要求をサーバ７に対して送信する（Ｓ５）。
【０１６４】
なお、無線端末１は、上記とは異なり、有線帯域設定要求をサーバ７に送信してから、無線帯域設定要求を無線基地局３に送信してもよい。
【０１６５】
つぎに、無線帯域設定要求を受信した無線基地局３が、無線アクセスネットワーク２において無線基地局３と無線端末１との間に無線帯域設定要求で要求された帯域を設定し（Ｓ６）、無線帯域が設定された旨を通知する無線帯域設定応答を無線端末１に送信する（Ｓ７）。
【０１６６】
つぎに、有線帯域設定要求を受信したサーバ７が、ＲＳＶＰにより有線ネットワーク６の帯域設定を行うため、無線端末１に向けてＰＡＴＨメッセージを送信する（Ｓ８）。
【０１６７】
つぎに、ＲＳＶＰに対応した有線ネットワーク６内の機器が、ＰＡＴＨメッセージを中継し（Ｓ９）、最終的に無線端末１までＰＡＴＨメッセージを到達させる（Ｓ１０）。なお、無線基地局３はＲＳＶＰに対応していないため、ＰＡＴＨメッセージはトンネリングされる。
【０１６８】
つぎに、ＰＡＴＨメッセージを受信した無線端末１は、Ｓ４で作成した有線帯域設定情報に基づいて、コンテンツデータ送信時に有線ネットワーク６において必要となる帯域を設定するために、この設定に必要となる情報をＲＥＳＶメッセージのパラメータとして設定し、ＲＥＳＶメッセージをサーバ７に向けて送信する（Ｓ１１）。
【０１６９】
ＲＥＳＶメッセージは、ＰＡＴＨメッセージが送信されたルートを逆にたどりながら有線ネットワーク６内の機器で中継され（Ｓ１２）、サーバ７で受信される（Ｓ１３）。
【０１７０】
無線基地局３とサーバ７と有線ネットワーク６内の全ての機器とにおいてＲＳＶＰによる有線帯域の設定が完了すると、サーバ７は、有線帯域設定が完了した旨を有線帯域設定応答（ＲＳＶＰの場合は予約完了メッセージ）として無線端末１に対して送信する（Ｓ１４）。
【０１７１】
無線端末１は、無線基地局３からの無線帯域設定応答とサーバ７からの有線帯域設定応答を受信したものの、無線アクセスネットワーク２または有線ネットワーク６における帯域の設定が失敗したことを検出した場合、サーバ７に帯域設定の失敗を帯域設定失敗通知として送信する（Ｓ１５）。ここで、この帯域設定失敗通知には、上記したように、帯域設定が失敗した無線アクセスネットワーク２または有線ネットワーク６において設定可能な帯域の情報である設定可能帯域値が含まれている。
【０１７２】
帯域設定失敗通知を受信したサーバ７は、設定可能帯域値が帯域情報（無線）１３に含まれる配信レート幅に対応する帯域値の範囲内であるか判定を行い（Ｓ１６）、配信レート幅に対応する帯域値の範囲に含まれる場合は、配信レート管理機能１４により配信レートを設定可能帯域値に対応する配信レートに変更する（Ｓ１７）とともに、帯域情報（無線）１３の設定帯域値を設定可能帯域値に変更する（１８）。
【０１７３】
つぎに、サーバ７は、変更された帯域情報（無線）１３を無線端末１に送信する（Ｓ１９）。
【０１７４】
つぎに、サーバ７から変更された帯域情報（無線）１３を受信した無線端末１が、この変更された帯域情報（無線）１３を用いて、当該送信を要求しているコンテンツデータの送信に必要となる無線帯域を無線アクセスネットワーク２において設定するための情報を含む無線帯域設定要求を無線基地局３に対し送信する（Ｓ２０）。
【０１７５】
つぎに、無線端末１が、変更された帯域情報（無線）１３を用いて、当該送信を要求しているコンテンツデータの送信に必要となる有線帯域を有線ネットワーク６において設定するための情報（有線帯域設定情報）を作成する（Ｓ２１）。
【０１７６】
つぎに、無線端末１が、変更された帯域情報（無線）に基づいて作成した有線帯域設定情報を含む有線帯域設定要求をサーバ７に対して送信する（Ｓ２２）。
【０１７７】
なお、ここでも、無線端末１は、上記とは異なり、有線帯域設定要求をサーバ７に送信してから、無線帯域設定要求を無線基地局３に送信してもよい。
【０１７８】
つぎに、無線帯域設定要求を受信した無線基地局３が、無線アクセスネットワーク２において無線基地局３と無線端末１との間に無線帯域設定要求で要求された帯域を設定し（Ｓ２３）、無線帯域が設定された旨を通知する無線帯域設定応答を無線端末１に送信する（Ｓ２４）。
【０１７９】
つぎに、有線帯域設定要求を受信したサーバ７が、ＲＳＶＰにより有線ネットワーク６の帯域設定を行うため、無線端末１に向けてＰＡＴＨメッセージを送信する（Ｓ２５）。
【０１８０】
つぎに、ＲＳＶＰに対応した有線ネットワーク６内の機器が、ＰＡＴＨメッセージを中継し（Ｓ２６）、最終的に無線端末１までＰＡＴＨメッセージを到達させる（Ｓ２７）。なお、無線基地局３はＲＳＶＰに対応していないため、ＰＡＴＨメッセージはトンネリングされる。
【０１８１】
つぎに、ＰＡＴＨメッセージを受信した無線端末１は、Ｓ２１で作成した有線帯域設定情報に基づいて、コンテンツデータ送信時に有線ネットワーク６において必要となる帯域を設定するために、この設定に必要となる情報をＲＥＳＶメッセージのパラメータとして設定し、ＲＥＳＶメッセージをサーバ７に向けて送信する（Ｓ２８）。
【０１８２】
ＲＥＳＶメッセージは、ＰＡＴＨメッセージが送信されたルートを逆にたどりながら有線ネットワーク６内の機器で中継され（Ｓ２９）、サーバ７で受信される（Ｓ３０）。
【０１８３】
無線基地局３とサーバ７と有線ネットワーク６内の全ての機器とにおいてＲＳＶＰによる有線帯域の設定が完了すると、サーバ７は、有線帯域設定が完了した旨を有線帯域設定応答（ＲＳＶＰの場合は予約完了メッセージ）として無線端末１に対して送信する（Ｓ３１）。  
【０１８４】
つぎに、無線基地局３からの無線帯域設定応答とサーバ７からの有線帯域設定応答とを受信した無線端末１が、帯域設定が完了した旨を帯域設定完了通知としてサーバ７に対して送信する（Ｓ３２）。
【０１８５】
そして、帯域設定完了通知を受信したサーバ７が、前記送信を要求されたコンテンツデータ８の送信を無線端末１に対して変更された配信レートで開始する（Ｓ３３）。
【０１８６】
以上説明した第４の発明の実施例は、第３の発明の実施例に適用されているが、この第４の発明の実施例は、第１の発明の実施例および第２の発明の実施例にも適用することができる発明である。
【０１８７】
すなわち、第４の発明の実施例は、第１の発明の実施例、第２の発明の実施例、または第３の発明の実施例において、コンテンツデータは配信レートを変更できるマルチビットレート型コンテンツであり、帯域情報（有線、無線）また帯域情報（無線）はコンテンツデータごとに変更できる配信レート幅の情報を含み、サーバはコンテンツデータの配信レートを変更できる配信レート管理機能を有する。無線端末よりコンテンツが選択された場合、最大の配信レートによる帯域設定を行う。無線基地局または無線端末が無線アクセスネットワークまたは有線ネットワークにおいて帯域の設定が失敗したことを検出した場合、無線基地局または無線端末がサーバに帯域設定の失敗を通知する機能を有し、通知は帯域設定が失敗した無線アクセスネットワークまたは有線ネットワークに対し、設定可能な帯域の情報である設定可能帯域値を含む。通知を受信したサーバは、設定可能帯域値が帯域情報（有線、無線）また帯域情報（無線）に含まれる配信レート幅の範囲内であるか判定を行い、配信レート幅に含まれる場合は、配信レート管理機能により配信レートを前記設定可能帯域値に変更するとともに、帯域情報（有線、無線）また帯域情報（無線）の設定帯域値を設定可能帯域値に変更する。サーバと無線基地局または無線端末は変更された帯域情報（有線、無線）また帯域情報（無線）をもとに再度有線ネットワークおよび無線アクセスネットワークの帯域設定を行う。無線基地局または無線端末が無線アクセスネットワークおよび有線ネットワークにおいて帯域の設定が完了したことを検出した場合、サーバは無線端末に対し前記配信レートによるコンテンツデータの送信を開始する。これにより、帯域の設定に失敗した場合でも現在設定可能な帯域で帯域の再設定を行い、コンテンツの配信を行うことが可能となる。
【０１８８】
このように、第４の発明に係る実施例は、第１の発明の実施例〜第３の発明の実施例において、無線端末１からサーバ７へのコンテンツデータ送信要求があった場合、コンテンツデータの配信レートが最大となるように、無線端末１とサーバ７間のエンド−エンドのネットワーク帯域の設定を試みる。そして、第４の発明に係る実施例は、コンテンツデータの配信レートを最大にする帯域の設定に失敗した場合は、設定可能な帯域の範囲内での最大配信レートに対応する帯域を無線ネットワーク２および有線ネットワーク６に動的に設定し、この最大配信レートでコンテンツ配信を行う。
【０１８９】
なお、上記第４の発明に係る実施例における帯域設定失敗通知は、無線端末１からサーバ７に送信されているが、第４の発明における帯域設定失敗通知は、無線基地局３からサーバ７に送信されてもよい。
【実施例５】
【０１９０】
つぎに、第５の発明の実施例に係る帯域設定方法について説明する。
【０１９１】
図１０は、第５の発明の実施例に係る帯域設定方法を適用されたコンテンツ提供システムの全体構成を示す図である。
【０１９２】
図１０に示すように、第５の発明の実施例に係る帯域設定方法を適用されたコンテンツ提供システムは、無線端末１（複数も可）と、この無線端末１に無線アクセスネットワーク２を介して接続された無線基地局３（複数も可）と、この無線基地局３に有線ネットワーク６を介して接続されるサーバ７と、を備えている。
【０１９３】
無線基地局３には、無線アクセスネットワーク２の帯域状況を把握可能な無線帯域監視機能１５が備えられている。  
【０１９４】
サーバ７には、インターネットテレビやインターネットラジオなどの複数のコンテンツデータ８と、データベース９と、複数の帯域情報（無線）１３と、が格納されている。また、サーバ７は、コンテンツデータ８の配信レートを変更できる配信レート管理機能１４と、有線ネットワーク６の帯域状況を把握可能な有線帯域監視機能１６と、無線帯域監視機能１５および有線帯域監視機能１６と通信し無線アクセスネットワーク２および有線ネットワーク６の両方の帯域状況を管理可能な帯域管理機能１７と、を備えている。
【０１９５】
ここで、コンテンツデータ８は、配信レートを変更できるマルチビットレート型コンテンツであり、帯域情報（無線）１３とは、複数のコンテンツデータ８における各コンテンツデータの送信に必要となる無線アクセスネットワークの帯域設定に関する情報をいう。第５の発明に係る実施例においては、帯域情報（無線）１３にコンテンツデータ８ごとに変更できる配信レート幅の情報が含まれている。配信レート幅のほかにも、ネットワークで保証したい帯域値、遅延量、ピークレート値、最大パケットサイズ、最小パケットサイズ、予約スタイル、サービスクラスなどの各種ＱｏＳ（Ｑｕａｌｉｔｙ  Ｏｆ  Ｓｅｒｖｉｃｅ）パラメータが帯域情報（有線、無線）に含まれると考えられるが、このうちの一部の情報でもよく、またそれ以外の情報を含めてもよい。
【０１９６】
また、データベース９には、各コンテンツデータと各帯域情報（無線）１３との対応関係が記されている。
【０１９７】
つぎに、第５の発明の実施例に係る帯域設定方法を簡単に説明する。
【０１９８】
帯域管理機能１７は、無線帯域監視機能１５および有線帯域監視機能１６と通信を行うことによって、無線アクセスネットワーク２および有線ネットワーク６の帯域状況を把握している。
【０１９９】
無線端末１がコンテンツデータ８の受信を希望する場合、無線端末１はサーバ７にあるコンテンツデータ８を選択する。サーバ７はコンテンツデータ８を受信するために必要な帯域情報（無線）１３をデータベース９を用いて特定する。ここでコンテンツデータ８は配信レートを変更できるマルチビットレート型コンテンツであり、帯域情報（無線）１３は変更できる配信レート幅Ｒの情報を含む。
【０２００】
帯域管理機能１７は、この帯域情報（無線）１３の配信レート幅Ｒと無線帯域監視機能１５および有線帯域監視機能１６から得た帯域状況とから現在設定できる最大の配信レートＲ（１）を算出する。
【０２０１】
そして、帯域管理機能１７は、帯域情報（無線）１３の設定帯域値を配信レートＲ（１）に対応する帯域値に設定するとともに、配信レート管理機能１４においてコンテンツの配信レートを配信レートＲ（１）に設定する。
【０２０２】
サーバ７は、帯域情報（無線）１３を無線端末１に対し送信する。ここで、無線端末１に対し送信する情報は帯域情報（無線）１３の一部でも良い。
【０２０３】
この後の有線ネットワーク６および無線アクセスネットワーク２の帯域設定は、第３の発明の実施例の場合と同様である。
【０２０４】
無線アクセスネットワーク２の無線帯域設定および有線ネットワーク６の有線帯域設定が完了したことを検出した無線端末１は、帯域設定が完了した旨を帯域設定完了通知としてサーバ７に送信する。
【０２０５】
帯域設定完了通知を受信したサーバ７は、無線端末１に対し、選択されたコンテンツデータ８の送信を配信レート管理機能１４に設定した配信レートＲ（１）で開始する。
【０２０６】
つぎに、第５の発明の実施例に係る帯域設定方法を詳細に説明する。
【０２０７】
図９は、第５の発明の実施例に係る帯域設定方法を説明するためのシーケンス図である。      
【０２０８】
まず、無線基地局３の無線帯域監視機能１５が、無線アクセスネットワーク２を監視して得た無線帯域状況を、サーバ７に対して送信する（Ｓ１）。
【０２０９】
つぎに、サーバ７の有線帯域監視機能１６が、有線ネットワーク６を監視して得た有線帯域状況を、サーバ７の帯域管理機能１７に送信する（Ｓ２）。
【０２１０】
つぎに、帯域管理機能１７が、無線帯域監視機能１５から受信した無線帯域状況および有線帯域監視機能１６から受信した有線帯域状況によって、無線アクセスネットワーク２および有線アクセスネットワーク６の帯域状況を把握する（Ｓ３）。
【０２１１】
つぎに、ユーザまたはアプリケーションなどが、インターネットテレビやインターネットラジオなどの送信を希望するコンテンツデータ８を無線端末１上で選択する。
【０２１２】
つぎに、無線端末１が、選択されたコンテンツデータ８の送信を要求するコンテンツデータ送信要求をサーバ７に対して送信する  （Ｓ４）。
【０２１３】
つぎに、サーバ７の帯域管理機能１７が、無線端末１から送信を要求されたコンテンツデータ８を受信するために必要な帯域情報（無線）１３をデータベース９を用いて選択し、この選択した帯域情報（無線）１３の配信レート幅Ｒと無線帯域監視機能１５および有線帯域監視機能１６から得た帯域状況とから現在設定できる最大の配信レートＲ（１）を算出する（Ｓ５）。
【０２１４】
つぎに、サーバ７の帯域管理機能１７が、帯域情報（無線）１３の設定帯域値を配信レートＲ（１）に対応する帯域値に設定する（Ｓ６）とともに、配信レート管理機能１４においてコンテンツの配信レートを配信レートＲ（１）に設定する（Ｓ７）。
【０２１５】
つぎに、サーバ７が、設定帯域値がＲ（１）に対応する帯域値に設定された帯域情報（無線）１３を無線端末１に対して送信する（Ｓ８）。ここで、コンテンツデータ８は配信レートを変更できるマルチビットレート型コンテンツであり、また、帯域情報（無線）１３には変更できる配信レート幅の情報Ｒが含まれている。また、帯域情報（無線）１３に含まれる設定帯域値には、配信レートをＲ（１）にする帯域の値が設定されている。なお、無線端末１に対し送信する情報は、帯域情報（無線）１３の一部でもよい。
【０２１６】
つぎに、サーバ７から帯域情報（無線）１３を受信した無線端末１が、この受信した帯域情報（無線）１３を用いて、当該送信を要求しているコンテンツデータの送信に必要となる無線帯域を無線アクセスネットワーク２において設定するための情報を含む無線帯域設定要求を無線基地局３に対し送信する（Ｓ９）。
【０２１７】
つぎに、無線端末１が、サーバ７から受信した帯域情報（無線）１３を用いて、当該送信を要求しているコンテンツデータの送信に必要となる有線帯域を有線ネットワーク６において設定するための情報（有線帯域設定情報）を作成する（Ｓ１０）。
【０２１８】
つぎに、無線端末１が、作成した有線帯域設定情報を含む有線帯域設定要求をサーバ７に対して送信する（Ｓ１１）。
【０２１９】
なお、無線端末１は、上記とは異なり、有線帯域設定要求をサーバ７に送信してから、無線帯域設定要求を無線基地局３に送信してもよい。
【０２２０】
つぎに、無線帯域設定要求を受信した無線基地局３が、無線アクセスネットワーク２において無線基地局３と無線端末１との間に無線帯域設定要求で要求された帯域を設定し（Ｓ１２）、無線帯域が設定された旨を通知する無線帯域設定応答を無線端末１に送信する（Ｓ１３）。
【０２２１】
つぎに、有線帯域設定要求を受信したサーバ７が、ＲＳＶＰにより有線ネットワーク６の帯域設定を行うため、無線端末１に向けてＰＡＴＨメッセージを送信する（Ｓ１４）。
【０２２２】
つぎに、ＲＳＶＰに対応した有線ネットワーク６内の機器が、ＰＡＴＨメッセージを中継し（Ｓ１５）、最終的に無線端末１までＰＡＴＨメッセージを到達させる（Ｓ１６）。なお、無線基地局３はＲＳＶＰに対応していないため、ＰＡＴＨメッセージはトンネリングされる。
【０２２３】
つぎに、ＰＡＴＨメッセージを受信した無線端末１は、Ｓ４で作成した有線帯域設定情報に基づいて、コンテンツデータ送信時に有線ネットワーク６において必要となる帯域を設定するために、この設定に必要となる情報をＲＥＳＶメッセージのパラメータとして設定し、ＲＥＳＶメッセージをサーバ７に向けて送信する（Ｓ１７）。
【０２２４】
ＲＥＳＶメッセージは、ＰＡＴＨメッセージが送信されたルートを逆にたどりながら有線ネットワーク６内の機器で中継され（Ｓ１８）、サーバ７で受信される（Ｓ１９）。
【０２２５】
無線基地局３とサーバ７と有線ネットワーク６内の全ての機器とにおいてＲＳＶＰによる有線帯域の設定が完了すると、サーバ７は、有線帯域設定が完了した旨を有線帯域設定応答（ＲＳＶＰの場合は予約完了メッセージ）として無線端末１に対して送信する（Ｓ２０）。
【０２２６】
つぎに、無線基地局３からの無線帯域設定応答とサーバ７からの有線帯域設定応答とを受信した無線端末１が、帯域設定が完了した旨を帯域設定完了通知としてサーバ７に対して送信する（Ｓ２１）。
【０２２７】
そして、帯域設定完了通知を受信したサーバ７が、前記送信を要求されたコンテンツデータ８の送信を無線端末１に対して変更された配信レートで開始する（Ｓ２２）。
【０２２８】
以上説明した第５の発明の実施例は、第３の発明の実施例に適用されているが、第５の発明の実施例は、第１の発明の実施例および第２の発明の実施例にも適用することができる発明である。
【０２２９】
すなわち、第５の発明の実施例は、第１の発明の実施例、第２の発明の実施例、または第３の発明の実施例において、無線基地局は無線アクセスネットワークの帯域状況を監視できる無線帯域監視機能を有し、サーバは有線ネットワークの帯域状況を監視できる有線帯域監視機能を有する。サーバは無線帯域監視機能および有線帯域監視機能と通信し、無線アクセスネットワークおよび有線ネットワークの帯域状況を管理できる帯域管理機能を有する。コンテンツデータは配信レートを変更できるマルチビットレート型コンテンツであり、帯域情報（有線、無線）または帯域情報（無線）はコンテンツデータごとに変更できる配信レート幅の情報を含み、サーバはコンテンツデータの配信レートを変更できる配信レート管理機能を有する。無線端末よりコンテンツが選択された場合、サーバは帯域管理機能より無線アクセスネットワークおよび有線ネットワークに設定可能な帯域である設定可能帯域値を算出し、設定可能帯域値が帯域情報（有線、無線）または帯域情報（無線）に含まれる配信レート幅の範囲内であれば、設定可能帯域値で有線ネットワークおよび無線アクセスネットワークの帯域設定を行うとともに配信レート管理機能において配信レートを設定可能帯域値に変更する。無線端末または無線基地局が無線アクセスネットワークおよび有線ネットワークにおいて帯域の設定が完了したことを検出した場合、サーバは無線端末に対し設定した配信レートでコンテンツデータの送信を開始する。これにより、無線アクセスネットワークおよび有線ネットワークで帯域設定可能な最大配信レートでコンテンツの配信を行うことが可能となる。
【０２３０】
このように、第５の発明に係る実施例によれば、無線端末１とサーバ７間のエンド−エンドのネットワークにおいて、無線端末１からのコンテンツ選択を契機に、現在設定可能な帯域の範囲内での最大配信レートに対応する帯域を無線ネットワーク２および有線ネットワーク６に動的に設定し、この現在設定可能な帯域の範囲内での最大配信レートでコンテンツ配信を行うことができる。
【実施例６】
【０２３１】
つぎに、第６の発明の実施例に係る帯域設定方法について説明する。
【０２３２】
第６の発明の実施例に係る帯域設定方法を適用されたコンテンツ提供システムの構成は、第５の発明の実施例に係る帯域設定方法を適用されたコンテンツ提供システムの構成と同様であるので、説明を省略する。
【０２３３】
第６の発明の実施例においては、サーバ７の帯域管理機能１７は、コンテンツデータ送信中、無線帯域監視機能１５および有線帯域監視機能１６と通信を行い、無線アクセスネットワーク２および有線ネットワーク６の帯域状況を管理する。
【０２３４】
サーバ７の帯域管理機能１７は、無線アクセスネットワーク２および有線ネットワーク６の設定帯域を増加可能であり且つ配信レートをＲ（２）に増加可能と判断した場合、帯域情報（無線）１３の設定帯域値を配信レートＲ（２）に対応する帯域値に再設定し、無線アクセスネットワーク２および有線ネットワーク６の設定帯域をＲ（２）に対応する帯域に再設定する。
【０２３５】
無線アクセスネットワーク２の無線帯域設定および有線ネットワーク６の有線帯域設定が完了したことを検出した無線端末１は、帯域設定が完了した旨を帯域設定完了通知としてサーバ７に送信し、帯域設定完了通知を受信したサーバ７は、帯域管理機能１７で再設定した配信レートＲ（２）でのコンテンツ配信を配信レート管理機能１４に再設定し、配信レートＲ（２）でコンテンツデータ８の配信を開始する。
【０２３６】
つぎに、第６の発明の実施例に係る帯域設定方法を詳細に説明する。
【０２３７】
図１１は、第６の発明の実施例に係る帯域設定方法を説明するためのシーケンス図である。
【０２３８】
まず、無線基地局３の無線帯域監視機能１５が、無線アクセスネットワーク２を監視して得た無線帯域状況を、サーバ７に対して送信する（Ｓ１）。
【０２３９】
つぎに、サーバ７の有線帯域監視機能１６が、有線ネットワーク６を監視して得た有線帯域状況を、サーバ７の帯域管理機能１７に送信する（Ｓ２）。
【０２４０】
つぎに、帯域管理機能１７が、無線帯域監視機能１５から受信した無線帯域状況および有線帯域監視機能１６から受信した有線帯域状況によって、無線アクセスネットワーク２および有線アクセスネットワーク６の帯域状況を把握する（Ｓ３）。
【０２４１】
つぎに、ユーザまたはアプリケーションなどが、インターネットテレビやインターネットラジオなどの送信を希望するコンテンツデータ８を無線端末１上で選択する。
【０２４２】
つぎに、無線端末１が、選択されたコンテンツデータ８の送信を要求するコンテンツデータ送信要求をサーバ７に対して送信する  （Ｓ４）。
【０２４３】
つぎに、サーバ７の帯域管理機能１７が、無線端末１から送信を要求されたコンテンツデータ８を受信するために必要な帯域情報（無線）１３をデータベース９を用いて選択し、この選択した帯域情報（無線）１３の配信レート幅Ｒと無線帯域監視機能１５および有線帯域監視機能１６から得た帯域状況とから現在設定できる最大の配信レートＲ（１）を算出する（Ｓ５）。
【０２４４】
つぎに、サーバ７の帯域管理機能１７が、帯域情報（無線）１３の設定帯域値を配信レートＲ（１）に対応する帯域値に設定する（Ｓ６）とともに、配信レート管理機能１４においてコンテンツの配信レートを配信レートＲ（１）に設定する（Ｓ７）。
【０２４５】
つぎに、サーバ７が、設定帯域値がＲ（１）に対応する帯域値に設定された帯域情報（無線）１３を無線端末１に対して送信する（Ｓ８）。ここで、コンテンツデータ８は配信レートを変更できるマルチビットレート型コンテンツであり、また、帯域情報（無線）１３には変更できる配信レート幅の情報Ｒが含まれている。また、帯域情報（無線）１３に含まれる設定帯域値には、配信レートをＲ（１）にする帯域の値が設定されている。なお、無線端末１に対し送信する情報は、帯域情報（無線）１３の一部でもよい。
【０２４６】
つぎに、サーバ７から帯域情報（無線）１３を受信した無線端末１が、この受信した帯域情報（無線）１３を用いて、当該送信を要求しているコンテンツデータの送信に必要となる無線帯域を無線アクセスネットワーク２において設定するための情報を含む無線帯域設定要求を無線基地局３に対し送信する（Ｓ９）。
【０２４７】
つぎに、無線端末１が、サーバ７から受信した帯域情報（無線）１３を用いて、当該送信を要求しているコンテンツデータの送信に必要となる有線帯域を有線ネットワーク６において設定するための情報（有線帯域設定情報）を作成する（Ｓ１０）。
【０２４８】
つぎに、無線端末１が、作成した有線帯域設定情報を含む有線帯域設定要求をサーバ７に対して送信する（Ｓ１１）。
【０２４９】
なお、無線端末１は、上記とは異なり、有線帯域設定要求をサーバ７に送信してから、無線帯域設定要求を無線基地局３に送信してもよい。
【０２５０】
つぎに、無線帯域設定要求を受信した無線基地局３が、無線アクセスネットワーク２において無線基地局３と無線端末１との間に無線帯域設定要求で要求された帯域を設定し（Ｓ１２）、無線帯域が設定された旨を通知する無線帯域設定応答を無線端末１に送信する（Ｓ１３）。
【０２５１】
つぎに、有線帯域設定要求を受信したサーバ７が、ＲＳＶＰにより有線ネットワーク６の帯域設定を行うため、無線端末１に向けてＰＡＴＨメッセージを送信する（Ｓ１４）。
【０２５２】
つぎに、ＲＳＶＰに対応した有線ネットワーク６内の機器が、ＰＡＴＨメッセージを中継し（Ｓ１５）、最終的に無線端末１までＰＡＴＨメッセージを到達させる（Ｓ１６）。なお、無線基地局３はＲＳＶＰに対応していないため、ＰＡＴＨメッセージはトンネリングされる。  
【０２５３】
つぎに、ＰＡＴＨメッセージを受信した無線端末１は、Ｓ４で作成した有線帯域設定情報に基づいて、コンテンツデータ送信時に有線ネットワーク６において必要となる帯域を設定するために、この設定に必要となる情報をＲＥＳＶメッセージのパラメータとして設定し、ＲＥＳＶメッセージをサーバ７に向けて送信する（Ｓ１７）。
【０２５４】
ＲＥＳＶメッセージは、ＰＡＴＨメッセージが送信されたルートを逆にたどりながら有線ネットワーク６内の機器で中継され（Ｓ１８）、サーバ７で受信される（Ｓ１９）。
【０２５５】
無線基地局３とサーバ７と有線ネットワーク６内の全ての機器とにおいてＲＳＶＰによる有線帯域の設定が完了すると、サーバ７は、有線帯域設定が完了した旨を有線帯域設定応答（ＲＳＶＰの場合は予約完了メッセージ）として無線端末１に対して送信する（Ｓ２０）。
【０２５６】
つぎに、無線基地局３からの無線帯域設定応答とサーバ７からの有線帯域設定応答とを受信した無線端末１が、帯域設定が完了した旨を帯域設定完了通知としてサーバ７に対して送信する（Ｓ２１）。
【０２５７】
つぎに、帯域設定完了通知を受信したサーバ７が、前記送信を要求されたコンテンツデータ８の送信を無線端末１に対して変更された配信レートで開始する（Ｓ２２）。
【０２５８】
つぎに、コンテンツ送信中に、無線基地局３の無線帯域監視機能１５が、無線アクセスネットワーク２を監視して得た無線帯域状況を、サーバ７に対して送信する（Ｓ２３）。
【０２５９】
つぎに、コンテンツ送信中に、サーバ７の有線帯域監視機能１６が、有線ネットワーク６を監視して得た有線帯域状況を、サーバ７の帯域管理機能１７に送信する（Ｓ２４）。
【０２６０】
つぎに、帯域管理機能１７が、無線帯域監視機能１５から受信した無線帯域状況および有線帯域監視機能１６から受信した有線帯域状況によって、コンテンツ送信中における無線アクセスネットワーク２および有線アクセスネットワーク６の帯域状況を把握する（Ｓ２５）。
【０２６１】
つぎに、サーバ７の帯域管理機能１７は、無線アクセスネットワーク２および有線ネットワーク６の設定帯域を増加可能であり且つ配信レートをＲ（２）に増加可能と判断した場合（Ｓ２６）、帯域情報（無線）１３の設定帯域値を配信レートＲ（２）に再設定する（Ｓ２７）。
【０２６２】
つぎに、サーバ７が、帯域情報（無線）１３を無線端末１に対して送信する（Ｓ２８）。ここで、帯域情報（無線）１３に含まれる設定帯域値には、配信レートをＲ（２）にする帯域の値が設定されている。なお、無線端末１に対し送信する情報は、帯域情報（無線）１３の一部でもよい。
【０２６３】
つぎに、サーバ７から帯域情報（無線）１３を受信した無線端末１が、この受信した帯域情報を用いて、当該送信を要求しているコンテンツデータの送信に必要となる無線帯域を無線アクセスネットワーク２において設定するための情報を含む無線帯域設定要求を無線基地局３に対し送信する（Ｓ２９）。
【０２６４】
つぎに、無線端末１が、サーバ７から受信した帯域情報（無線）１３を用いて、当該送信を要求しているコンテンツデータの送信に必要となる有線帯域を有線ネットワーク６において設定するための情報（有線帯域設定情報）を作成する（Ｓ３０）。
【０２６５】
つぎに、無線端末１が、作成した有線帯域設定情報を含む有線帯域設定要求をサーバ７に対して送信する（Ｓ３１）。
【０２６６】
なお、無線端末１は、上記とは異なり、有線帯域設定要求をサーバ７に送信してから、無線帯域設定要求を無線基地局３に送信してもよい。
【０２６７】
つぎに、無線帯域設定要求を受信した無線基地局３が、無線アクセスネットワーク２において無線基地局３と無線端末１との間に無線帯域設定要求で要求された帯域を設定し（Ｓ３２）、無線帯域が設定された旨を通知する無線帯域設定応答を無線端末１に送信する（Ｓ３３）。
【０２６８】
つぎに、有線帯域設定要求を受信したサーバ７が、ＲＳＶＰにより有線ネットワーク６の帯域設定を行うため、無線端末１に向けてＰＡＴＨメッセージを送信する（Ｓ３４）。
【０２６９】
つぎに、ＲＳＶＰに対応した有線ネットワーク６内の機器が、ＰＡＴＨメッセージを中継し（Ｓ３５）、最終的に無線端末１までＰＡＴＨメッセージを到達させる（Ｓ３６）。なお、無線基地局３はＲＳＶＰに対応していないため、ＰＡＴＨメッセージはトンネリングされる。
【０２７０】
つぎに、ＰＡＴＨメッセージを受信した無線端末１は、Ｓ４で作成した有線帯域設定情報に基づいて、コンテンツデータ送信時に有線ネットワーク６において必要となる帯域を設定するために、この設定に必要となる情報をＲＥＳＶメッセージのパラメータとして設定し、ＲＥＳＶメッセージをサーバ７に向けて送信する（Ｓ３７）。
【０２７１】
ＲＥＳＶメッセージは、ＰＡＴＨメッセージが送信されたルートを逆にたどりながら有線ネットワーク６内の機器で中継され（Ｓ３８）、サーバ７で受信される（Ｓ３９）。
【０２７２】
無線基地局３とサーバ７と有線ネットワーク６内の全ての機器とにおいてＲＳＶＰによる有線帯域の設定が完了すると、サーバ７は、有線帯域設定が完了した旨を有線帯域設定応答（ＲＳＶＰの場合は予約完了メッセージ）として無線端末１に対して送信する（Ｓ４０）。
【０２７３】
つぎに、無線基地局３からの無線帯域設定応答とサーバ７からの有線帯域設定応答とを受信した無線端末１が、帯域設定が完了した旨を帯域設定完了通知としてサーバ７に対して送信する（Ｓ４１）。
【０２７４】
つぎに、サーバ７の配信レート管理機能１４が、コンテンツデータの配信レートをＲ（２）に再設定する（４２）。
【０２７５】
そして、帯域設定完了通知を受信したサーバ７が、前記送信を要求されたコンテンツデータ８の送信を無線端末１に対して変更された配信レートＲ（２）で開始する（Ｓ４３）。
【０２７６】
なお、本発明においては、配信レート管理機能による配信レートの再設定（Ｓ４２）を帯域の再設定（Ｓ２８〜Ｓ４１）の前に行うことも可能である。ただし、上記したように、配信レート管理機能による配信レートの再設定（Ｓ４２）を帯域の再設定（Ｓ２８〜Ｓ４１）の後に行えば、配信レートを上げたがこの配信レートに対応する帯域がネットワークに確保されていないために、ネットワークが混雑し、データの遅延や廃棄などによりコンテンツの品質が劣化してしまうという事態を防止することができる。
【０２７７】
以上説明した第６の発明の実施例は、第３の発明の実施例に適用された第５の発明の実施例について適用されているが、第６の発明の実施例は、第１の発明の実施例および第２の発明の実施例に適用された第５の発明の実施例についても、適用することができる発明である。
【０２７８】
すなわち、第６の発明の実施例は、第１の発明の実施例〜第３の発明の実施例に適用された第５の発明の実施例において、コンテンツデータ送信中、帯域管理機能は無線帯域監視機能および有線帯域監視機能と通信を行い無線アクセスネットワークおよび有線ネットワークの帯域状況を管理し、帯域管理機能が無線アクセスネットワークおよび有線ネットワークの設定帯域を増やすことが可能と判断した場合、帯域管理機能は有線帯域情報に含まれる配信レート幅と配信レート管理機能より現在の配信レートを比較し、配信レート幅内で配信レートを上げられると判断した場合、帯域情報（有線、無線）または帯域情報（無線）に含まれる帯域の設定情報を変更するとともに、帯域情報（有線、無線）または帯域情報（無線）をもとに無線アクセスネットワークおよび有線ネットワークの設定帯域の変更を行う。無線端末または無線基地局が無線アクセスネットワークおよび有線ネットワークにおいて帯域の設定が完了したことを検出した場合、サーバは配信レート管理機能より配信レートを上げ、無線端末に対しコンテンツデータの送信を開始する。これにより、無線アクセスネットワークおよび有線ネットワークの帯域状況にあわせてコンテンツデータの配信レートを上げることが可能となる。
【０２７９】
このように、第６の発明に係る実施例によれば、無線アクセスネットワーク２および有線ネットワーク６の帯域状況からみて配信レートを増加可能な場合は、ネットワークの設定帯域を動的に再設定し、配信レートを上げてコンテンツ配信を行うことができる。
【実施例７】
【０２８０】
つぎに、第８の発明の実施例に係る帯域設定方法について説明する。
【０２８１】
第８の発明の実施例に係る帯域設定方法を適用されたコンテンツ提供システムの構成は、第６の発明の実施例に係る帯域設定方法を適用されたコンテンツ提供システムの構成と同様であるので、説明を省略する。
【０２８２】
第８の発明の実施例においては、帯域管理機能１７が、コンテンツデータ送信中、無線帯域監視機能１５および有線帯域監視機能１６と通信を行い、無線アクセスネットワーク２および有線ネットワーク６の帯域状況を管理している。
【０２８３】
帯域管理機能１７は、無線アクセスネットワーク２または有線ネットワーク６において設定帯域の確保が困難であり、配信レートＲ（１）を帯域情報（無線）１３の配信レート情報Ｒの範囲内で下げることが可能と判断した場合、帯域情報（無線）１３の配信レート情報を配信レートＲ（３）に再設定するとともに、コンテンツデータ８の配信レートを配信レートＲ（３）に設定する。
【０２８４】
配信レートＲ（３）での配信を設定された配信レート管理機能１４は、配信レートＲ（３）でコンテンツデータ８の配信を開始する。
【０２８５】
また、サーバ７は、無線アクセスネットワーク２および有線ネットワーク６の設定帯域をＲ（３）に対応する帯域値に再設定する。
【０２８６】
無線アクセスネットワーク２の無線帯域設定および有線ネットワーク６の有線帯域設定が完了したことを検出した無線端末１は、帯域設定が完了した旨を帯域設定完了通知としてサーバ７に送信する。
【０２８７】
つぎに、第８の発明の実施例に係る帯域設定方法を詳細に説明する。
【０２８８】
図１２は、第８の発明の実施例に係る帯域設定方法を説明するためのシーケンス図である。
【０２８９】
まず、無線基地局３の無線帯域監視機能１５が、無線アクセスネットワーク２を監視して得た無線帯域状況を、サーバ７に対して送信する（Ｓ１）。
【０２９０】
つぎに、サーバ７の有線帯域監視機能１６が、有線ネットワーク６を監視して得た有線帯域状況を、サーバ７の帯域管理機能１７に送信する（Ｓ２）。
【０２９１】
つぎに、帯域管理機能１７が、無線帯域監視機能１５から受信した無線帯域状況および有線帯域監視機能１６から受信した有線帯域状況によって、無線アクセスネットワーク２および有線アクセスネットワーク６の帯域状況を把握する（Ｓ３）。
【０２９２】
つぎに、ユーザまたはアプリケーションなどが、インターネットテレビやインターネットラジオなどの送信を希望するコンテンツデータ８を無線端末１上で選択する。
【０２９３】
つぎに、無線端末１が、選択されたコンテンツデータ８の送信を要求するコンテンツデータ送信要求をサーバ７に対して送信する（Ｓ４）。
【０２９４】
つぎに、サーバ７の帯域管理機能１７が、無線端末１から送信を要求されたコンテンツデータ８を受信するために必要な帯域情報（無線）１３をデータベース９を用いて選択し、この選択した帯域情報（無線）１３の配信レート幅Ｒと無線帯域監視機能１５および有線帯域監視機能１６から得た帯域状況とから現在設定できる最大の配信レートＲ（１）を算出する（Ｓ５）。
【０２９５】
つぎに、サーバ７の帯域管理機能１７が、帯域情報（無線）１３の設定帯域値を配信レートＲ（１）に対応する帯域値に設定する（Ｓ６）とともに、配信レート管理機能１４においてコンテンツの配信レートを配信レートＲ（１）に設定する（Ｓ７）。
【０２９６】
つぎに、サーバ７が、設定帯域値がＲ（１）に対応する帯域値に設定された帯域情報（無線）１３を無線端末１に対して送信する（Ｓ８）。ここで、コンテンツデータ８は配信レートを変更できるマルチビットレート型コンテンツであり、また、帯域情報（無線）１３には変更できる配信レート幅の情報が含まれている。また、帯域情報（無線）１３に含まれる設定帯域値には、配信レートをＲ（１）にする帯域の値が設定されている。なお、無線端末１に対し送信する情報は、帯域情報（無線）１３の一部でもよい。
【０２９７】
つぎに、サーバ７から帯域情報（無線）１３を受信した無線端末１が、この受信した帯域情報（無線）１３を用いて、当該送信を要求しているコンテンツデータの送信に必要となる無線帯域を無線アクセスネットワーク２において設定するための情報を含む無線帯域設定要求を無線基地局３に対し送信する（Ｓ９）。
【０２９８】
つぎに、無線端末１が、サーバ７から受信した帯域情報（無線）１３を用いて、当該送信を要求しているコンテンツデータの送信に必要となる有線帯域を有線ネットワーク６において設定するための情報（有線帯域設定情報）を作成する（Ｓ１０）。
【０２９９】
つぎに、無線端末１が、作成した有線帯域設定情報を含む有線帯域設定要求をサーバ７に対して送信する（Ｓ１１）。
【０３００】
なお、無線端末１は、上記とは異なり、有線帯域設定要求をサーバ７に送信してから、無線帯域設定要求を無線基地局３に送信してもよい。
【０３０１】
つぎに、無線帯域設定要求を受信した無線基地局３が、無線アクセスネットワーク２において無線基地局３と無線端末１との間に無線帯域設定要求で要求された帯域を設定し（Ｓ１２）、無線帯域が設定された旨を通知する無線帯域設定応答を無線端末１に送信する（Ｓ１３）。
【０３０２】
つぎに、有線帯域設定要求を受信したサーバ７が、ＲＳＶＰにより有線ネットワーク６の帯域設定を行うため、無線端末１に向けてＰＡＴＨメッセージを送信する（Ｓ１４）。
【０３０３】
つぎに、ＲＳＶＰに対応した有線ネットワーク６内の機器が、ＰＡＴＨメッセージを中継し（Ｓ１５）、最終的に無線端末１までＰＡＴＨメッセージを到達させる（Ｓ１６）。なお、無線基地局３はＲＳＶＰに対応していないため、ＰＡＴＨメッセージはトンネリングされる。
【０３０４】
つぎに、ＰＡＴＨメッセージを受信した無線端末１は、Ｓ４で作成した有線帯域設定情報に基づいて、コンテンツデータ送信時に有線ネットワーク６において必要となる帯域を設定するために、この設定に必要となる情報をＲＥＳＶメッセージのパラメータとして設定し、ＲＥＳＶメッセージをサーバ７に向けて送信する（Ｓ１７）。
【０３０５】
ＲＥＳＶメッセージは、ＰＡＴＨメッセージが送信されたルートを逆にたどりながら有線ネットワーク６内の機器で中継され（Ｓ１８）、サーバ７で受信される（Ｓ１９）。
【０３０６】
無線基地局３とサーバ７と有線ネットワーク６内の全ての機器とにおいてＲＳＶＰによる有線帯域の設定が完了すると、サーバ７は、有線帯域設定が完了した旨を有線帯域設定応答（ＲＳＶＰの場合は予約完了メッセージ）として無線端末１に対して送信する（Ｓ２０）。
【０３０７】
つぎに、無線基地局３からの無線帯域設定応答とサーバ７からの有線帯域設定応答とを受信した無線端末１が、帯域設定が完了した旨を帯域設定完了通知としてサーバ７に対して送信する（Ｓ２１）。
【０３０８】
つぎに、帯域設定完了通知を受信したサーバ７が、前記送信を要求されたコンテンツデータ８の送信を無線端末１に対して変更された配信レートで開始する（Ｓ２２）。
【０３０９】
つぎに、コンテンツ送信中に、無線基地局３の無線帯域監視機能１５が、無線アクセスネットワーク２を監視して得た無線帯域状況を、サーバ７に対して送信する（Ｓ２３）。
【０３１０】
つぎに、コンテンツ送信中に、サーバ７の有線帯域監視機能１６が、有線ネットワーク６を監視して得た有線帯域状況を、サーバ７の帯域管理機能１７に送信する（Ｓ２４）。
【０３１１】
つぎに、帯域管理機能１７が、無線帯域監視機能１５から受信した無線帯域状況および有線帯域監視機能１６から受信した有線帯域状況によって、コンテンツ送信中における無線アクセスネットワーク２および有線アクセスネットワーク６の帯域状況を把握する（Ｓ２５）。
【０３１２】
つぎに、サーバ７の帯域管理機能１７は、無線アクセスネットワーク２または有線ネットワーク６において設定帯域の確保が困難であり、配信レートＲ（１）を帯域情報（無線）１３の配信レート情報Ｒの範囲内で下げることが可能と判断した場合（Ｓ２６）、帯域情報（無線）１３の配信レート情報を配信レートＲ（３）に再設定する（Ｓ２７）。
【０３１３】
つぎに、帯域管理機能１７は、コンテンツデータ８の配信レートを配信レートＲ（３）に再設定する（Ｓ２８）。  
【０３１４】
つぎに、サーバ７は、配信レートＲ（３）でコンテンツデータ８の配信を開始する（Ｓ２９）。
【０３１５】
つぎに、サーバ７が、帯域情報（無線）１３を無線端末１に対して送信する（Ｓ３０）。ここで、帯域情報（無線）１３に含まれる設定帯域値には、配信レートをＲ（３）にする帯域の値が設定されている。なお、無線端末１に対し送信する情報は、帯域情報（無線）１３の一部でもよい。
【０３１６】
つぎに、サーバ７から帯域情報（無線）１３を受信した無線端末１が、この受信した帯域情報（無線）１３を用いて、当該送信を要求しているコンテンツデータの送信に必要となる無線帯域を無線アクセスネットワーク２において設定するための情報を含む無線帯域設定要求を無線基地局３に対し送信する（Ｓ３１）。
【０３１７】
つぎに、無線端末１が、サーバ７から受信した帯域情報（無線）１３を用いて、当該送信を要求しているコンテンツデータの送信に必要となる有線帯域を有線ネットワーク６において設定するための情報（有線帯域設定情報）を作成する（Ｓ３２）。
【０３１８】
つぎに、無線端末１が、作成した有線帯域設定情報を含む有線帯域設定要求をサーバ７に対して送信する（Ｓ３３）。
【０３１９】
なお、無線端末１は、上記とは異なり、有線帯域設定要求をサーバ７に送信してから、無線帯域設定要求を無線基地局３に送信してもよい。
【０３２０】
つぎに、無線帯域設定要求を受信した無線基地局３が、無線アクセスネットワーク２において無線基地局３と無線端末１との間に無線帯域設定要求で要求された帯域を設定し（Ｓ３４）、無線帯域が設定された旨を通知する無線帯域設定応答を無線端末１に送信する（Ｓ３５）。  
【０３２１】
つぎに、有線帯域設定要求を受信したサーバ７が、ＲＳＶＰにより有線ネットワーク６の帯域設定を行うため、無線端末１に向けてＰＡＴＨメッセージを送信する（Ｓ３６）。
【０３２２】
つぎに、ＲＳＶＰに対応した有線ネットワーク６内の機器が、ＰＡＴＨメッセージを中継し（Ｓ３７）、最終的に無線端末１までＰＡＴＨメッセージを到達させる（Ｓ３８）。なお、無線基地局３はＲＳＶＰに対応していないため、ＰＡＴＨメッセージはトンネリングされる。
【０３２３】
つぎに、ＰＡＴＨメッセージを受信した無線端末１は、Ｓ４で作成した有線帯域設定情報に基づいて、コンテンツデータ送信時に有線ネットワーク６において必要となる帯域を設定するために、この設定に必要となる情報をＲＥＳＶメッセージのパラメータとして設定し、ＲＥＳＶメッセージをサーバ７に向けて送信する（Ｓ３９）。
【０３２４】
ＲＥＳＶメッセージは、ＰＡＴＨメッセージが送信されたルートを逆にたどりながら有線ネットワーク６内の機器で中継され（Ｓ４０）、サーバ７で受信される（Ｓ４１）。
【０３２５】
無線基地局３とサーバ７と有線ネットワーク６内の全ての機器とにおいてＲＳＶＰによる有線帯域の設定が完了すると、サーバ７は、有線帯域設定が完了した旨を有線帯域設定応答（ＲＳＶＰの場合は予約完了メッセージ）として無線端末１に対して送信する（Ｓ４２）。
【０３２６】
つぎに、無線基地局３からの無線帯域設定応答とサーバ７からの有線帯域設定応答とを受信した無線端末１が、帯域設定が完了した旨を帯域設定完了通知としてサーバ７に対して送信する（Ｓ４３）。
【０３２７】
なお、本発明においては、配信レート管理機能による配信レートの再設定（Ｓ２８）を帯域の再設定（Ｓ３０〜Ｓ４３）の後に行うことも可能である。ただし、上記した実施例のように、配信レート管理機能による配信レートの再設定（Ｓ２８）を帯域の再設定（Ｓ３０〜Ｓ４３）の前に行えば、ネットワークの混雑状況に応じて、配信レートを迅速に下げることができる。
【０３２８】
以上説明した第８の実施例は、第３の発明の実施例に適用された第５の発明について摘要されているが、第８の発明の実施例は、第１の発明の実施例および第２の発明の実施例に適用された第５の発明の実施例についても、適用することができる発明である。
【０３２９】
すなわち、第８の発明の実施例は、第１の発明の実施例〜第３の発明の実施例に適用された第５の発明の実施例において、コンテンツデータ送信中、帯域管理機能は無線帯域監視機能および有線帯域監視機能と通信を行い無線アクセスネットワークおよび有線ネットワークの帯域状況を管理する。帯域管理機能が無線アクセスネットワークまたは有線ネットワークにおいて設定帯域の確保が困難であると判断した場合、帯域管理機能は帯域情報（有線、無線）または帯域情報（無線）に含まれる配信レート幅と配信レート管理機能より現在の配信レートを比較し、配信レート幅内で配信レートを下げられると判断した場合、サーバは配信レート管理機能より配信レートを下げるとともに、帯域情報（有線、無線）または帯域情報（無線）に含まれる帯域の設定情報を変更し、前記帯域情報（有線、無線）または帯域情報（無線）をもとに無線アクセスネットワークまたは有線ネットワークの設定帯域の変更を行う。これにより、無線アクセスネットワークまたは有線ネットワークの帯域状況にあわせてコンテンツデータの配信レートを下げることが可能となる。
【０３３０】
このように、第８の発明に係る実施例によれば、無線アクセスネットワーク２または有線ネットワーク６の帯域状況からみて設定帯域の確保が困難である場合に、コンテンツデータの配信レートを下げるとともにネットワークの設定帯域を再設定することで帯域の有効利用を可能とする。
【実施例８】
【０３３１】
つぎに、第１０の発明の実施例に係る帯域設定方法ついて説明する。
【０３３２】
図１４は、第１０の発明の実施例に係る帯域設定方法を適用されたコンテンツ提供システムの全体構成を示す図である。
【０３３３】
図１４に示すように、第１０の発明の実施例に係る帯域設定方法を適用されたコンテンツ提供システムは、無線端末１（複数も可）と、この無線端末１に無線アクセスネットワーク２を介して接続された無線基地局３（複数も可）と、この無線基地局３に有線ネットワーク６を介して接続されるサーバ７と、を備えている。
【０３３４】
サーバ７には、インターネットテレビやインターネットラジオなどの複数のコンテンツデータ８と、データベース９と、複数の帯域情報（無線）１３と、が格納されている。
【０３３５】
ここで、帯域情報（無線）１３とは、複数のコンテンツデータ８における各コンテンツデータの送信に必要となる無線アクセスネットワークの帯域設定に関する情報をいう。この帯域情報（有線、無線）に含まれる情報としては、ネットワークで保証したい帯域値、遅延量、ピークレート値、最大パケットサイズ、最小パケットサイズ、予約スタイル、サービスクラスなどの各種ＱｏＳ（Ｑｕａｌｉｔｙ  Ｏｆ  Ｓｅｒｖｉｃｅ）パラメータが考えられるが、このうちの一部の情報でもよく、またそれ以外の情報を含めてもよい。
【０３３６】
また、データベース９には、各コンテンツデータと各帯域情報（無線）１３との対応関係が記されている。
【０３３７】
つぎに、第１０の発明の実施例に係る帯域設定方法を簡単に説明する。
【０３３８】
図１４の無線端末１は、サーバ７に格納される複数のコンテンツデータ８の中から１つ以上のコンテンツデータがユーザまたはアプリケーションなどによって選択された場合に、この選択されたコンテンツデータの送信を要求するコンテンツデータ送信要求をサーバ７に対して送信する。
【０３３９】
無線端末１からコンテンツデータ送信要求を受信したサーバ７は、この受信を契機として、当該送信を要求されたコンテンツデータ８に対応する帯域情報（無線）１３をデータベース９を用いて選択し、この選択した帯域情報（無線）１３を無線端末１に対して送信する。
【０３４０】
サーバ７から帯域情報（無線）１３を受信した無線端末１は、この受信した帯域情報（無線）１３を用いて、当該送信を要求しているコンテンツデータの送信（マルチキャスト送信も可）に必要となる無線帯域を無線アクセスネットワーク２において設定するための情報を含む無線帯域設定要求を無線基地局３に対し送信する。
【０３４１】
なお、無線端末１が複数のコンテンツデータの送信をサーバ７に対して要求した場合には、各コンテンツデータが必要とする帯域の合計値に関する情報が、無線帯域設定要求に含まれる。
【０３４２】
無線端末１から無線帯域設定要求を受信した無線基地局３は、この受信した無線帯域設定要求に基づいて、前記コンテンツデータの送信に必要な無線アクセスネットワーク２の帯域を設定する。
【０３４３】
また、無線端末１から無線帯域設定要求を受信した無線基地局３は、この受信した無線帯域設定要求に基づいて、有線帯域設定情報を作成する。ここで、有線帯域設定情報とは、当該送信を要求しているコンテンツデータの送信（マルチキャスト送信も可）に必要となる有線帯域を有線ネットワーク６において設定するための情報をいう。
【０３４４】
無線基地局３は、この作成した有線帯域設定情報を含む有線帯域設定要求をサーバ７に対して送信する。
【０３４５】
なお、無線端末１が複数のコンテンツデータの送信をサーバ７に対して要求した場合には、各コンテンツデータが必要とする帯域の合計値に関する情報が、有線帯域設定要求に含まれる。      
【０３４６】
無線基地局３からサーバ７に対して有線帯域設定要求が送信された場合、無線基地局３とサーバ７と有線ネットワーク６に属する有線ネットワーク機器（エッジルータ４、エッジルータ５を含む）とは、無線基地局３とサーバ７との間の有線ネットワーク６において一貫した帯域確保を行う。
【０３４７】
なお、第１０の発明の実施例における無線基地局３とサーバ７と有線ネットワーク６に属する有線ネットワーク機器とは、ＲＳＶＰ（ｒｅｓｏｕｒｃｅ  ＲｅＳｅｒＶａｔｉｏｎ  Ｐｒｏｔｏｃｏｌ）を用いて、有線ネットワーク６で一貫した帯域確保を行う。ただし、本発明は、有線ネットワーク６で一貫した帯域確保を行う方法を、ＲＳＶＰを用いた方法に限定するものではない。
【０３４８】
第１０の発明の実施例に係る帯域設定方法においては、無線端末１がサーバ７からのコンテンツデータ８の受信の停止を検出した場合に、無線アクセスネットワークおよび有線ネットワークの状態が上記帯域設定以前の状態に戻る。
【０３４９】
つぎに、第１０の発明の実施例に係る帯域設定方法を詳細に説明する。
【０３５０】
図１３は、第１０の発明の実施例に係る帯域設定方法を説明するためのシーケンス図である。
【０３５１】
まず、ユーザまたはアプリケーションなどが、インターネットテレビやインターネットラジオなどの送信を希望するコンテンツデータ８を無線端末１上で選択する。
【０３５２】
つぎに、無線端末１が、選択されたコンテンツデータ８の送信を要求するコンテンツデータ送信要求をサーバ７に対して送信する  （Ｓ１）。
【０３５３】
つぎに、無線端末１からコンテンツデータ送信要求を受信したサーバ７が、当該送信を要求されたコンテンツデータ８を受信するために必要な帯域情報（無線）１３をデータベース９を用いて選択し、この選択した帯域情報（無線）１３を無線端末１に対して送信する（Ｓ２）。
【０３５４】
つぎに、サーバ７から帯域情報（無線）１３を受信した無線端末１が、この受信した帯域情報（無線）１３を用いて、当該送信を要求しているコンテンツデータの送信に必要となる無線帯域を無線アクセスネットワーク２において設定するための情報を含む無線帯域設定要求を無線基地局３に対し送信する（Ｓ３）。
【０３５５】
つぎに、無線帯域設定要求を受信した無線基地局３が、無線アクセスネットワーク２において無線基地局３と無線端末１との間に無線帯域設定要求で要求された帯域を設定する（Ｓ４）。
【０３５６】
つぎに、無線基地局３が、無線端末１から受信した無線帯域設定要求を用いて、当該送信を要求しているコンテンツデータの送信に必要となる有線帯域を有線ネットワーク６において設定するための情報（有線帯域設定情報）を作成し（Ｓ５）、この作成した有線帯域設定情報を含む有線帯域設定要求をサーバ７に対して送信する（Ｓ６）。
【０３５７】
つぎに、有線帯域設定要求を受信したサーバ７が、ＲＳＶＰにより有線ネットワーク６の帯域設定を行うため、無線基地局３に対してＰＡＴＨメッセージを送信する（Ｓ７）。
【０３５８】
つぎに、ＲＳＶＰに対応した有線ネットワーク６内の機器が、ＰＡＴＨメッセージを中継し（Ｓ８）、最終的に無線基地局３までＰＡＴＨメッセージを到達させる（Ｓ９）。
【０３５９】
つぎに、ＰＡＴＨメッセージを受信した無線基地局３は、Ｓ５で作成した有線帯域設定情報に基づいて、コンテンツデータ送信時に有線ネットワーク６において必要となる帯域を設定するために、この設定に必要となる情報をＲＥＳＶメッセージのパラメータとして設定し、ＲＥＳＶメッセージをサーバ７に送信する（Ｓ１０）。
【０３６０】
ＲＥＳＶメッセージは、ＰＡＴＨメッセージが送信されたルートを逆にたどりながら有線ネットワーク６内の機器で中継され（Ｓ１１）、サーバ７で受信される（Ｓ１２）。
【０３６１】
無線基地局３とサーバ７と有線ネットワーク６内の全ての機器とにおいてＲＳＶＰによる有線帯域の設定が完了すると、サーバ７は、有線帯域設定が完了した旨を有線帯域設定応答（ＲＳＶＰの場合は予約完了メッセージ）として無線基地局３に対して送信する（Ｓ１３）。
【０３６２】
つぎに、サーバ７から有線帯域設定応答を受信した無線基地局３が、無線端末１に対して帯域設定応答を送信する（Ｓ１４）。
【０３６３】
つぎに、無線基地局３から帯域設定応答を受信した無線端末１が、帯域設定が完了した旨を帯域設定完了通知としてサーバ７に対して送信する（Ｓ１５）。
【０３６４】
つぎに、帯域設定完了通知を受信したサーバ７が、前記送信を要求されたコンテンツデータ８の送信を無線端末１に対して開始する（Ｓ１６）。
【０３６５】
無線端末１がサーバ７からのコンテンツデータ８を受信中、受信の停止を検出した場合（Ｓ１７）、無線アクセスネットワーク２における無線基地局３と無線端末１との間の帯域の、無線帯域設定要求に基づく帯域が設定される前の帯域への変更を要求する無線帯域変更要求を無線基地局３に対して送信する（Ｓ１８）。
【０３６６】
無線帯域変更要求を受信した無線基地局３は、無線アクセスネットワーク２における無線基地局３と無線端末１との間の帯域を無線帯域設定要求に応じて帯域が設定される前の帯域に変更し（Ｓ１９）、変更が完了した旨を無線帯域変更応答として無線端末１に対して送信する（Ｓ２０）。
【０３６７】
有線ネットワーク６の各機器は、ＲＳＶＰにより帯域設定を行っているが、ＲＳＶＰでは定期的にメッセージの送受信を行い各機器の状態を更新している。よって、有線ネットワーク６の各機器は、予め定められた時間以上コンテンツデータの受信が行われない場合、自動的に有線ネットワーク６における帯域の解放を行う（Ｓ２１）。したがって、有線ネットワーク６の帯域は、ＲＳＶＰによる帯域設定以前のネットワーク状態に戻る。
【０３６８】
以上説明したように、第１０の発明の実施例によれば、無線端末１は、何らかの理由によってコンテンツデータの受信が停止した場合に、無線アクセスネットワーク２および有線ネットワーク６を、帯域設定前のネットワーク状態に戻すことが可能となる。
【０３６９】
なお、以上説明した第１０の発明の実施例は、第２の発明の実施例について適用されているが、第１０の発明の実施例は、第１の発明の実施例〜第９の発明の実施例に適用することができる。
【実施例９】
【０３７０】
つぎに、第１１の発明の実施例に係る帯域設定方法について説明する。
【０３７１】
図１６は、第１１の発明の実施例に係る帯域設定方法を適用されたコンテンツ提供システムの全体構成を示す図である。
【０３７２】
第１１の発明の実施例に係る帯域設定方法を適用されたコンテンツ提供システムの構成は、第３の発明の実施例に係る帯域設定方法を適用されたコンテンツ提供システムの構成に加えて、次の構成を備えている。
【０３７３】
すなわち、帯域情報（無線）１３は、有線ネットワーク６および無線アクセスネットワーク２の帯域の確保時間を設定可能とする帯域確保時間情報１１を含む。
【０３７４】
また、無線基地局３は、帯域情報（無線）１３に基づいて無線アクセスネットワーク２の設定を行う際、無線アクセスネットワーク２の無線帯域に加え、帯域確保時間情報１１に基づいて帯域確保時間の設定も行う機能を有する。
【０３７５】
さらに、無線基地局３は、サーバ７が無線端末１へのコンテンツ送信を開始すると同時に、帯域確保時間を計測するタイマー１２を有し、タイマーが終了したことを検出した場合、サーバ７に対しコンテンツ送信停止を要求するコンテンツ送信停止要求を送信するとともに、無線アクセスネットワークにおける無線基地局と無線端末との間の無線帯域を無線基地局が無線帯域設定要求に応じて設定した無線帯域から無線基地局が無線帯域設定要求に応じて設定する前の無線帯域へ変更し、無線帯域変更応答を無線端末に送信する機能を有する。
【０３７６】
つぎに、第１１の発明の実施例に係る帯域設定方法を詳細に説明する。
【０３７７】
図１５は、第１１の発明の実施例に係る帯域設定方法を説明するためのシーケンス図である。
【０３７８】
第１１の発明の実施例におけるＳ１〜Ｓ１６は、第３の発明の実施例におけるＳ１〜Ｓ１６と同様であるので（ただし、帯域情報（無線）１３に無線アクセスネットワーク２の帯域の確保時間を設定可能とする帯域確保時間情報１１が含まれている点で相違する。）、説明を省略する。
【０３７９】
サーバ７から無線端末１へのコンテンツ送信開始を検出した無線基地局３は、帯域確保時間情報１１の時間を計測するタイマー１２をスタートさせる（Ｓ１７）。
【０３８０】
無線基地局３は、タイマーが終了したことを検出した場合（Ｓ１８）、サーバ７に対しコンテンツの送信を停止するコンテンツ送信停止要求を送信する（Ｓ１９）とともに、無線アクセスネットワークにおける無線基地局と無線端末との間の無線帯域を無線基地局が無線帯域設定要求に応じて設定した無線帯域から無線基地局が無線帯域設定要求に応じて設定する前の無線帯域へ変更し、無線帯域変更応答を無線端末に送信する（Ｓ２０）。
【０３８１】
なお、無線基地局３がサーバ７に対しコンテンツ送信停止要求を送信する（Ｓ１９）順番と無線アクセスネットワーク２の無線帯域を変更する（Ｓ２０）順番は問わない。
【０３８２】
コンテンツ送信停止要求を受信したサーバ７は、コンテンツの送信を停止する（Ｓ２１）。ここで、有線ネットワーク６の各機器はＲＳＶＰにより帯域設定を行っているが、ＲＳＶＰでは定期的にメッセージの送受信を行い各機器の状態を更新している。有線ネットワーク６の各機器は、予め定められた時間以上コンテンツデータの受信が行われない場合、自動的に帯域の解放を行い（Ｓ２２）、ネットワーク状態をＲＳＶＰによる帯域設定以前の状態に戻す。
【０３８３】
以上説明した第１１の発明の実施例は、第３の発明の実施例について適用されているが、第１１の発明の実施例は、第１の発明の実施例〜第９の発明の実施例についても適用することができる発明である。
【０３８４】
すなわち、第１１の発明の実施例は、第１の発明の実施例〜第９の発明の実施例において、帯域情報（有線、無線）または帯域情報（無線）は、これをもとに設定する有線ネットワークおよび無線アクセスネットワークの帯域の確保時間を設定可能とする帯域確保時間情報を含み、無線基地局が帯域情報（有線、無線）または帯域情報（無線）をもとに無線アクセスネットワークの設定を行う際、無線アクセスネットワークの無線帯域に加え、帯域確保時間情報をもとに帯域確保時間の設定も行う。無線基地局または無線端末が無線アクセスネットワークおよび有線ネットワークにおいて帯域の設定が完了したことを検出した場合、サーバは無線端末に対し該コンテンツデータの送信を開始し、無線基地局は前記コンテンツデータの無線端末への送信を開始すると同時に、帯域確保時間を計測するタイマーをスタートさせる。タイマーが終了したことを検出した時は、サーバに対しコンテンツ送信停止要求を送信するとともに、無線アクセスネットワークにおける無線基地局と無線端末との間の無線帯域を無線基地局が無線帯域設定要求に応じて設定した無線帯域から無線基地局が無線帯域設定要求に応じて設定する前の無線帯域へ変更し、無線帯域変更応答を無線端末に送信し、コンテンツ送信停止要求を受信したサーバはコンテンツ送信を停止する。有線ネットワークはコンテンツデータの受信を停止したことを検出した後、予め定められた時間以上コンテンツデータの受信が行われない場合、確保していた有線帯域を解放する。これにより、帯域確保時間情報で定められた時間が経過した後、帯域設定前のネットワーク状態に戻ることが可能となる。
【０３８５】
このように、第１１の発明の実施例によれば、コンテンツの受信を開始してから帯域確保時間情報で定められた時間が経過したら無線端末１とサーバ７間のエンド−エンドで設定した帯域を設定前の状態に自動的に戻すことができる。
【０３８６】
なお、第１１の発明の実施例においては、無線基地局が備えているタイマーを無線端末が備えることとすることもできる（図１７）。この場合は、無線端末が帯域確保時間を計測する（図１８）。
【０３８７】
以上説明したように、第３の発明の実施例〜第１１の発明の実施例によれば、コンテンツデータが配信レートを変更可能なマルチビットレート型コンテンツの場合、無線アクセスネットワークおよび有線ネットワークの帯域状況にあわせた最適な配信レートでのコンテンツ配信が可能となるとともに、配信レートにあわせた無線アクセスネットワークおよび有線ネットワークに設定する確保帯域を動的に変更可能である。
【０３８８】
また、第３の発明の実施例〜第１１の発明の実施例によれば、無線アクセスネットワークの状況を無線基地局で予測することにより、無線端末の処理負荷および無線アクセスネットワークの消費帯域を増加させることなく、迅速に配信レートの変更が可能となる。        
【０３８９】
さらに、第３の発明の実施例〜第１１の発明の実施例によれば、配信レートの変更に応じて無線アクセスネットワークおよび有線ネットワークの設定帯域を動的に変更可能とすることにより、配信レートを上げた場合には変更された配信レートで安定したデータ配信を可能とするとともに、配信レートを下げた場合には必要以上の帯域を確保してしまう問題を解決できる。
【図面の簡単な説明】
【０３９０】
【図１】第１の発明の実施例に係る帯域設定方法を説明するためのシーケンス図である。
【図２】第１の発明の実施例に係る帯域設定方法を適用されたコンテンツ提供システムの全体構成を示す図である。
【図３】第２の発明の実施例に係る帯域設定方法を説明するためのシーケンス図である。
【図４】第２の発明の実施例に係る帯域設定方法を適用されたコンテンツ提供システムの全体構成を示す図である。
【図５】第３の発明の実施例に係る帯域設定方法を説明するためのシーケンス図である。
【図６】第３の発明の実施例に係る帯域設定方法を適用されたコンテンツ提供システムの全体構成を示す図である。
【図７】第４の発明の実施例に係る帯域設定方法を説明するためのシーケンス図である。
【図８】第４の発明の実施例に係る帯域設定方法を適用されたコンテンツ提供システムの全体構成を示す図である。
【図９】第５の発明の実施例に係る帯域設定方法を説明するためのシーケンス図である。
【図１０】第５の発明の実施例に係る帯域設定方法を適用されたコンテンツ提供システムの全体構成を示す図である。
【図１１】第６の発明の実施例に係る帯域設定方法を説明するためのシーケンス図である。
【図１２】第８の発明の実施例に係る帯域設定方法を説明するためのシーケンス図である。
【図１３】第１０の発明の実施例に係る帯域設定方法を説明するためのシーケンス図である。
【図１４】第１０の発明の実施例に係る帯域設定方法を適用されたコンテンツ提供システムの全体構成を示す図である。
【図１５】第１１の発明の実施例に係る帯域設定方法を説明するためのシーケンス図である。
【図１６】第１１の発明の実施例に係る帯域設定方法を適用されたコンテンツ提供システムの全体構成を示す図である。
【図１７】第１１の発明の第２の実施例に係る帯域設定方法を適用されたコンテンツ提供システムの全体構成を示す図である。
【図１８】第１１の発明の第２の実施例に係る帯域設定方法を説明するためのシーケンス図である。
【符号の説明】
【０３９１】
１    無線端末
２    無線アクセスネットワーク
３    無線基地局
４    エッジルータ
５    エッジルータ６    有線ネットワーク
７    サーバ
８    コンテンツデータ
９    データベース
１０    帯域情報（有線、無線）
１１    帯域確保時間情報
１２    タイマー
１３    帯域情報（無線）
１４    配信レート管理機能
１５    無線帯域監視機能
１６    有線帯域監視機能
１７    帯域管理機能
【図１】
2004274700.tif 000003
【図２】
2004274700.tif 000004
【図３】
2004274700.tif 000005
【図４】
2004274700.tif 000006
【図５】
2004274700.tif 000007
【図６】
2004274700.tif 000008
【図７】
2004274700.tif 000009
【図８】
2004274700.tif 000010
【図９】
2004274700.tif 000011
【図１０】
2004274700.tif 000012
【図１１】
2004274700.tif 000013
【図１２】
2004274700.tif 000014
【図１３】
2004274700.tif 000015
【図１４】
2004274700.tif 000016
【図１５】
2004274700.tif 000017
【図１６】
2004274700.tif 000018
【図１７】
2004274700.tif 000019
【図１８】
2004274700.tif 000020